(57)【要約】      （修正有）【課題】産業／公衆に対して有用な患者インタフェースを提供する。【解決手段】使用者（好ましくは使用者の顔等）の上に配置される本体を備え、本体が、少なくとも１つの（および好ましくは対の）鼻プロング５０２を含み、各鼻プロングが、呼吸用ガスの供給源と流体連通するように各鼻プロングに流体接続されることが可能な内腔を含み、各鼻プロングが、使用者の鼻の一方または両方の鼻孔内に挿入される構成であるか、あるいは一方または両方の鼻孔にガス流を向けるかのいずれかであり、本体が、患者インタフェース５００の少なくとも第１領域が受ける力５５０または動きあるいは両方に応答する少なくとも１つの要素を含む、患者インタフェース。【選択図】図７Ｃ
2020114390.tif 000002
【特許請求の範囲】
【請求項１】
鼻カニューレ等の患者インタフェースであって、
使用者（好ましくは使用者の顔等）の上に配置される本体
を備え、
前記本体が、少なくとも１つの（および好ましくは対の）鼻プロングを含み、前記または各鼻プロングが、呼吸用ガスの供給源と流体連通するように前記鼻プロングまたは各鼻プロングに流体接続されることが可能な内腔を含み、前記または各鼻プロングが、前記使用者の鼻の一方または両方の鼻孔内に挿入される構成であるか、あるいは前記一方または両方の鼻孔にガス流を向けるかのいずれかであり、
前記本体が、前記患者インタフェースの少なくとも第１領域が受ける力または動きあるいは両方に応答する少なくとも１つの要素を含む、患者インタフェース。
【請求項２】
前記要素が、前記インタフェースの少なくとも別の領域に伝達されないように、前記インタフェースの少なくとも第１領域に加えられる力または動きあるいは両方の伝達の低減を促進する、請求項１に記載のインタフェース。
【請求項３】
前記要素が、前記少なくとも第１領域が受ける前記力または前記動きあるいは両方を局所化するように応答する、請求項１または２に記載のインタフェース。
【請求項４】
前記要素が、前記少なくとも第１領域から前記患者インタフェースの少なくとも１つの他の領域への前記力または前記動きあるいは両方の伝達を最小限にするかまたは防止するように応答する、請求項１〜３のいずれか一項に記載のインタフェース。
【請求項５】
前記要素が、前記少なくとも１つの（および好ましくは前記対の）鼻プロングを前記使用者の鼻の一方または両方の鼻孔に挿入される前記構成で、または前記使用者の鼻の一方または両方の鼻孔にガス流を向ける構成で維持するように応答する、請求項１〜４のいずれか一項に記載のインタフェース。
【請求項６】
前記応答が、前記少なくとも１つ（または好ましくは前記対の）鼻プロングが、前記プロングが向けられる使用者の鼻の前記鼻孔内にまたはそれに隣接して安定した位置を維持するようなものである、請求項１〜５のいずれか一項に記載のインタフェース。
【請求項７】
前記インタフェースの少なくとも第１領域が受ける前記力または前記動きあるいは両方が、
前記鼻プロングと前記患者インタフェースの本体との間の加えられた力または動き、あるいは
前記患者インタフェースの前記本体と前記鼻プロングとの間の加えられた力または動きのいずれかまたは両方である、請求項１〜６のいずれか一項に記載のインタフェース。
【請求項８】
前記要素が、前記インタフェースの少なくとも第１領域が受けている前記力または前記動きあるいは両方に応答して変形可能であるかまたは変形する、請求項１〜７のいずれか一項に記載のインタフェース。
【請求項９】
前記要素が、前記インタフェースの少なくとも前記第１領域が受けている、加えられた力または動きあるいは両方に応答して所定のまたは優先的な変形モードを有する、請求項１〜８のいずれか一項に記載のインタフェース。
【請求項１０】
前記要素が、圧縮または引張またはねじりまたは曲げまたは他のたわみのうちの１つまたは組合せによって変形可能である、請求項１〜９のいずれか一項に記載のインタフェース。
【請求項１１】
前記要素が、形状の変化、位置の変化、構成の変化または変形のうちの１つまたは組合せによって、前記インタフェースの少なくとも前記第１領域が受ける前記力または動きあるいは両方に応答する、請求項１〜１０のいずれか一項に記載のインタフェース。
【請求項１２】
前記要素が、
ヒンジ、ピボット、関節継手あるいは前記本体または前記本体に関連する部分の関節接続された部分、スイベル、ボール−ソケット型継手、ピン−イン−バレル型継手
のうちの１つまたは任意のものの組合せを備える、請求項１〜１１のいずれか一項に記載のインタフェース。
【請求項１３】
前記要素が、前記インタフェースの他の部分より比較的可撓性の低い材料、前記インタフェースの他の部分より比較的可撓性の高い材料、力または動きが加えられるときに、前記加えられた力または動き（あるいは両方）に対する抵抗を増大させることにより、または前記加えられた力または動き（あるいは両方）に対する抵抗を低減させること等により、変化する特性を有する材料、または前記加えられた力または動き（あるいは両方）に応答して弾性変形可能な材料、または特定のもしくは所定の形状で優先的に変形可能であるが、他の特定のもしくは所定の形状では変形に対して任意選択的に抵抗し得る材料のうちの１つまたは任意のものの組合せを含む、請求項１〜１２のいずれか一項に記載のインタフェース。
【請求項１４】
前記要素が、
ピボット（もしくはスイベル）、または枢動（もしくは旋回）することができる領域、あるいは
ヒンジもしくは蝶番領域、または前記インタフェースの別の構成要素もしくは前記インタフェースの別の領域に対して蝶番式に取り付けられることが可能な領域、あるいは
関節もしくは関節継手、または関節運動することができる領域
のうちの１つまたは複数である、請求項１〜１３のいずれか一項に記載のインタフェース。
【請求項１５】
前記要素が、前記インタフェースの少なくとも１つの他の領域に伝達されないように、前記インタフェースの少なくとも前記第１領域に加えられる力または動き（あるいは両方）の分離を提供する、請求項１〜１４のいずれか一項に記載のインタフェース。
【請求項１６】
前記要素が、少なくとも１つの軸を中心にまたは少なくとも１つの平面において変形可能である、請求項１〜１５のいずれか一項に記載のインタフェース。
【請求項１７】
前記要素が、優先的な第１形状の周囲で変形可能である、請求項１〜１６のいずれか一項に記載のインタフェース。
【請求項１８】
前記インタフェースの周囲に配置された２つ以上の要素がある、請求項１〜１７のいずれか一項に記載のインタフェース。
【請求項１９】
要素が、前記力または動き（あるいは両方）に対して結合された応答を提供するように互いに接続されている、請求項１〜１８のいずれか一項に記載のインタフェース。
【請求項２０】
各要素が、異なるモードで前記力または動き（あるいは両方）に応答することができ、それにより結合された応答を提供する、請求項１〜１９のいずれか一項に記載のインタフェース。
【請求項２１】
要素が、結合された応答もしくは前記結合された応答を提供するように、互いに、または前記インタフェースの他の部分に動作可能に結合されている、請求項１〜２０のいずれか一項に記載のインタフェース。
【請求項２２】
前記要素のうちの少なくとも１つまたは前記要素の各々が、
隔離体または隔離領域、
吸収体または吸収領域、
抑制体または抑制領域、
あるいは、前記患者インタフェースの少なくとも第２領域または別の領域に伝達されないように、前記患者インタフェースの少なくとも第１領域に与えられた力または動きに対する反作用応答を提供する任意の他の構造または機構
のうちの１つまたは複数として提供される、請求項１〜２１のいずれか一項に記載のインタフェース。
【請求項２３】
前記応答が、使用者による使用中に前記患者インタフェースの少なくとも１つの他の領域に伝達されないように、少なくとも前記第１領域に与えられた前記力または動きの隔離または吸収または抑制または低減のうちの少なくとも１つ（または組合せ）である、請求項１〜２２のいずれか一項に記載のインタフェース。
【請求項２４】
前記要素が、優先的な形状または次元で変形するかまたは変位するように予め形成されている、請求項１〜２３のいずれか一項に記載のインタフェース。
【請求項２５】
前記要素が、前記インタフェースの前記本体を形成する材料または構成要素の優先的な曲げまたはたわみまたはよじれまたはねじり、あるいは優先的なまたは所定の枢動または伸長または圧縮を促進する、請求項１〜２４のいずれか一項に記載のインタフェース。
【請求項２６】
前記少なくとも１つの要素、または前記要素のうちの少なくとも１つが、鼻カニューレ患者インタフェースのブリッジ領域に、力または動きあるいは両方に応答して前記ブリッジ領域の移動を容易にするように配置されている、請求項１〜２５のいずれか一項に記載のインタフェース。
【請求項２７】
前記少なくとも１つの要素が、左本体部分と右本体部分との間にブリッジとして配置されたかまたは位置付けられた蝶番部分であり、前記本体部分の各々が、使用者の顔の上に配置されるインタフェースの前記本体をあわせて形成し、前記蝶番部分が、前記本体の少なくとも第１領域または前記本体の一部が前記使用者の顔の形状の変化からもたらされる力または動き（あるいは両方）を受けることに応答して、優先的な変形の領域を提供する、請求項１〜２６のいずれか一項に記載のインタフェース。
【請求項２８】
使用者の顔の形状に実質的に沿うかまたは適合し、それにより、前記要素が、前記インタフェースを使用者に対して好ましい治療送達構成で実質的に維持するように前記力または動き（あるいは両方）に応答する、請求項１〜２７のいずれか一項に記載のインタフェース。
【請求項２９】
細長い本体であって、少なくとも部分的に前記本体を通して延在する少なくとも１つの内腔を備え、ガス流源に結合されるように構成された細長い本体と、
前記本体から延在しかつ前記少なくとも１つの内腔と流体連通している１つまたは複数のプロングと、
予め定義された方向に曲がるように予め仕向けられている１つまたは複数のヒンジと
を備え、
前記１つまたは複数のヒンジが、鼻インタフェースに力がかけられるときに患者の顔の上で前記１つまたは複数のプロングの位置を安定化するように構成されている、鼻インタフェース。
【請求項３０】
患者の顔の上に載るように構成された１つまたは複数の顔パッドをさらに備える、請求項２９に記載の鼻インタフェース。
【請求項３１】
前記１つまたは複数のヒンジのうちの少なくとも１つが、前記１つまたは複数のプロングに隣接してまたはその間に配置されている、請求項２９または３０に記載の鼻インタフェース。
【請求項３２】
前記１つまたは複数のヒンジのうちの少なくとも１つが、予め定義された方向に曲がるように予め仕向けられている、請求項２９〜３１のいずれか一項に記載の鼻インタフェース。
【請求項３３】
前記１つまたは複数のヒンジのうちの少なくとも１つが、前記患者の顔に向かって内向きの方向、前記患者の鼻から下方の方向のいずれかまたは両方に曲がるように構成されている、請求項２９〜３２のいずれか一項に記載の鼻インタフェース。
【請求項３４】
前記１つまたは複数のヒンジが、可変断面積または可変厚さを有する、請求項２９〜３３のいずれか一項に記載の鼻インタフェース。
【請求項３５】
前記１つまたは複数のヒンジが、患者に適用する前に予め応力が加えられるように構成された弾性ヒンジを含む、前請求項２９〜３４のいずれか一項に記載の鼻インタフェース。
【発明の詳細な説明】
【技術分野】
【０００１】
本発明は、患者インタフェースに関し、より詳細には、限定されるものではないが、たとえば使用者の鼻の鼻孔にガスを送達するための鼻カニューレ等、使用者にガスを送達するための患者インタフェースであって、使用者の顔の上の本来の位置にあるときに安定性を向上させる構成が可能な患者インタフェースに関する。
【背景技術】
【０００２】
たとえばフルフェイスマスク、口−鼻マスク、鼻マスクおよび鼻カニューレ等、使用者にガスを送達するための多くの形態の患者インタフェースがある。
【０００３】
使用者が利用可能な著しく多様な患者インタフェースがあり、それらの各々にはそれ自体の安定性問題があり得る。
【０００４】
使用者の上でのインタフェースの安定性は、少なくとも、快適さおよび使用者に対する所望の治療送達の維持という理由で重要である。
【０００５】
インタフェースが不安定であることにより、インタフェースまたはインタフェースの構成要素が外れることになり得、それは、使用者に対する治療の所望の送達または完全性に影響を与え得る。
【０００６】
さまざまなモードで、使用者の上でのインタフェースの不安定性は、たとえば、使用者が話をすること、およびインタフェースが配置されている使用者の顔の形状を変化させることによる等、負荷の結果であり得る。人間の顔の形状等、顔の形状は、広範囲の要因によって大幅に変化する。これらの要因としては、限定されないが、性別、年齢または特定の病状を挙げることができる。特定の使用者に対してインタフェースのサイズおよび形状が不適切であることもまた、いくつかの患者インタフェースの安定性および有用性に悪影響を与え得る。
【０００７】
顔の動きに関して、使用者が、話す、食べる、泣く、または顔のパーツをゆがめるか誇張する場合、こうした動きが、使用者の上の患者インタフェース又はインタフェースの構成要素の安定性に影響を与える可能性があり、それはたとえば、使用者の鼻の鼻孔にガスを送達するためのガス送達位置から不注意で出てくる可能性がある鼻カニューレの鼻プロングまたはこうしたプロングの対等である。顔のパーツに対するより長期の変化は、たとえば睡眠中、使用者の姿勢等の態様からも発生し得る。形状の長期の変化は、使用者の成長および創傷回復からも発生し得る。
【０００８】
上記に関連して、患者インタフェースが配置される使用者の形状の変化により、またはたとえば、使用者がチューブまたはインタフェースあるいはこれらに取り付けられた他の構成要素を引っ張ることによる等、さらに他の力により、力および動きがインタフェースおよびその構成要素に伝達され得ることが理解されよう。こうした力が加わることは、使用者に対して患者インタフェースの安定性、快適さおよび操作上の使用の問題の原因となり得る。
【発明の概要】
【発明が解決しようとする課題】
【０００９】
したがって、本発明の目的は、上述した問題に対処することに少なくとも幾分か役立ち、または少なくとも産業／公衆に対して有用な選択肢を提供する、たとえば鼻カニューレ等の患者インタフェースを提供することである。
【課題を解決するための手段】
【００１０】
本明細書において、特許明細書、他の外部文献または他の情報源を参照している場合、これは、概して、本発明の特徴を説明するための背景を提供することを目的とするものである。特に別段の定めのない限り、こうした外部文献に対する参照は、こうした文献またはこうした情報源が、いかなる権限においても、従来技術であるかまたは当技術分野における共通の一般知識の一部を形成するということを認めるものとして解釈されるべきではない。
【００１１】
本発明のさらなる態様および利点は、単に例として与えられる後述する説明から明らかとなろう。
【００１２】
一態様において、本発明は、広く、鼻カニューレ等の患者インタフェースであって、
使用者（好ましくは使用者の顔等）の上に配置される本体
を備え、
本体が、少なくとも１つの（および好ましくは対の）鼻プロングを含み、そのまたは各鼻プロングが、呼吸用ガスの供給源と流体連通するようにその鼻プロングまたは各鼻プロングに流体接続されることが可能な内腔を含み、そのまたは各鼻プロングが、使用者の鼻の一方または両方の鼻孔内に挿入される構成であるか、あるいは一方または両方の鼻孔にガス流を向けるかのいずれかであり、
本体が、患者インタフェースの少なくとも第１領域が受ける力または動きあるいは両方に（任意選択的に機械的に）応答する少なくとも１つの要素を含み、任意選択的にまたは別法として、本体が、患者インタフェースの少なくとも他の領域に伝達されないように、患者インタフェースの少なくとも第１領域が受ける力または動きあるいは両方に（任意選択的に機械的に）応答する少なくとも１つの要素を含む、患者インタフェースにあり得る。
【００１３】
好ましくは、要素は、インタフェースの少なくとも別の領域に伝達されないように、インタフェースの少なくとも第１領域に加えられる力または動きあるいは両方の伝達の低減を促進する。
【００１４】
好ましくは、要素は、少なくとも第１領域が受ける力または動きあるいは両方を局所化するように応答する。
【００１５】
好ましくは、要素は、少なくとも第１領域から患者インタフェースの少なくとも１つの他の領域への力または動きあるいは両方の伝達を最小限にするかまたは防止するように応答する。
【００１６】
好ましくは、要素は、少なくとも１つの（および好ましくは対の）鼻プロングを使用者の鼻の一方または両方の鼻孔に挿入される構成で、または使用者の鼻の一方または両方の鼻孔にガス流を向ける構成で維持するように応答する。
【００１７】
好ましくは、応答は、少なくとも１つ（または好ましくは対の）鼻プロングが、プロングが向けられる使用者の鼻の鼻孔内にまたはそれに隣接して安定した位置を維持するようなものである。
【００１８】
好ましくは、応答は、インタフェースが使用者の上で動作可能な位置を維持するようなものである。
【００１９】
好ましくは、応答は、インタフェースが使用者の上で安定した位置を維持するようなものである。
【００２０】
好ましくは、インタフェースの少なくとも第１領域が受ける力または動きあるいは両方は、
鼻プロングと患者インタフェースの本体との間の加えられた力または動き、あるいは
患者インタフェースの本体と鼻プロングとの間の加えられた力または動き
のいずれかまたは両方である。
【００２１】
好ましくは、要素は、インタフェースの少なくとも第１領域が受けている力または動きあるいは両方に応答して変形可能であるかまたは変形する。
【００２２】
好ましくは、要素は、インタフェースの少なくとも第１領域が受けている力または動きあるいは両方に応答して所定のまたは優先的な変形モードを有する。
【００２３】
好ましくは、要素は、圧縮または引張またはねじりまたは曲げまたは他のたわみのうちの１つまたは組合せによって変形可能である。
【００２４】
好ましくは、要素は、形状の変化、位置の変化、構成の変化または変形のうちの１つまたは組合せによって、インタフェースの少なくとも第１領域が受ける力または動きあるいは両方に応答する。
【００２５】
好ましくは、要素は、
ヒンジ、ピボット、関節継手あるいは本体または本体に関連する部分の関節接続された部分、スイベル、ボール−ソケット型継手、ピン−イン−バレル（ｐｉｎ−ｉｎ−ｂａｒｒｅｌ）型継手
インタフェースの他の部分より比較的可撓性の低い材料、インタフェースの他の部分より比較的可撓性の高い材料、力または動きが加えられるときに、加えられた力または動き（あるいは両方）に対する抵抗を増大させることにより、または加えられた力または動き（あるいは両方）に対する抵抗を低減させること等により、変化する特性を有する材料、または加えられた力または動き（あるいは両方）に応答して弾性変形可能な材料、または特定のもしくは所定の形状で優先的に変形可能であるが、他の特定のもしくは所定の形状では変形に対して任意選択的に抵抗し得る材料
のうちの１つまたは任意のものの組合せを含む。
【００２６】
好ましくは、要素は、
ピボット（もしくはスイベル）、または枢動（もしくは旋回）することができる領域、あるいは
ヒンジもしくは蝶番領域、またはインタフェースの別の構成要素もしくはインタフェースの別の領域に対して蝶番式に取り付けられることが可能な領域、あるいは
関節もしくは関節継手、または関節運動することができる領域
のうちの１つまたは複数である。
【００２７】
好ましくは、要素は、インタフェースの少なくとも１つの他の領域に伝達されないように、インタフェースの少なくとも第１領域に加えられる力または動き（あるいは両方）の分離を提供する。
【００２８】
好ましくは、要素は、インタフェースの少なくとも第１領域からインタフェースの少なくとも１つの他の領域への動きの力の伝達を防止するかまたは最小限にするように提供するか、動作可能であるか、または作用する。
【００２９】
好ましくは、要素は、インタフェースの構造または機構であり得るか、あるいはインタフェースの領域であり得る。
【００３０】
好ましくは、要素は、少なくとも１つの軸を中心にまたは少なくとも１つの平面において変形可能である。
【００３１】
好ましくは、要素は、優先的な第１形状の周囲で変形可能である。
【００３２】
好ましくは、要素は、圧縮または引張またはねじりまたは曲げまたは他のたわみのうちの１つまたは組合せによって変形可能である。
【００３３】
好ましくは、インタフェースの周囲に配置された２つ以上の要素がある。
【００３４】
好ましくは、要素は、力または動き（あるいは両方）に対して結合された応答を提供するように互いに接続されている。
【００３５】
好ましくは、要素は、異なるモードで力または動き（あるいは両方）に応答することができ、それにより結合された応答を提供する。
【００３６】
好ましくは、要素は、結合された応答もしくは上記結合された応答を提供するように、互いに、またはインタフェースの他の部分に動作可能に結合されている。
【００３７】
好ましくは、要素のうちの少なくとも１つまたはこうした要素の各々は、
隔離体または隔離領域、
吸収体または吸収領域、
抑制体または抑制領域、
あるいは、患者インタフェースの少なくとも第２領域または別の領域に伝達されないように、患者インタフェースの少なくとも第１領域に与えられた力または動きに対する反作用応答を提供する任意の他の構造または機構
のうちの１つまたは複数として提供される。
【００３８】
好ましくは、応答は、使用者による使用中に患者インタフェースの少なくとも１つの他の領域に伝達されないように、少なくとも第１領域に与えられた力または動きの隔離または吸収または抑制または低減のうちの少なくとも１つ（または組合せ）である。
【００３９】
好ましくは、要素は、優先的な形状または次元で変形するかまたは変位するように予め形成されている。
【００４０】
好ましくは、要素は、インタフェースの本体を形成する材料または構成要素の優先的な曲げまたはたわみまたはよじれまたはねじり、あるいは優先的なまたは所定の枢動または伸長または圧縮を促進する。
【００４１】
好ましくは、こうした力または動きは、インタフェースの使用者が、インタフェースが保持されるかまたは配置されるかまたは位置付けられる自身の顔の形状を変化させること、あるいは使用者がインタフェースまたはその関連するヘッドギアを引っ張るかまたはそれに力または動きを加えることによる等、あるいは呼吸回路またはインタフェースの他の構成要素が、インタフェースの一部またはその関連するヘッドギアを重みで押し下げることによる等、力または動きを加えることの結果として生じる。
【００４２】
好ましくは、鼻プロングと患者インタフェースの本体との間、または患者インタフェースの本体と鼻プロングとの間の加えられた力または動きは、発話、摂食、睡眠の間、または弛緩状態と誇張状態との間の他の顔のゆがみ等、使用者の顔の形状の変化から生じる。
【００４３】
好ましくは、少なくとも１つの要素、または要素のうちの少なくとも１つは、鼻カニューレ患者インタフェースのブリッジ領域に、力または動きあるいは両方に応答してブリッジ領域の移動を容易にするように配置されている（さらに、使用者の中隔領域に実質的に隣接している等であり得る）。
【００４４】
好ましくは、インタフェースは、応答を提供するように単独でまたは他の要素と組み合わせて利用される複数の要素を備えている。
【００４５】
好ましくは、少なくとも１つの要素は、左本体部分と右本体部分との間にブリッジとして配置されたかまたは位置付けられた蝶番部分であり、本体部分の各々は、使用者の顔の上に配置されるインタフェースの本体をあわせて形成し、こうした蝶番部分は、本体の少なくとも第１領域または本体の一部が使用者の顔の形状の変化からもたらされる力または動き（あるいは両方）を受けることに応答して、優先的な変形の領域を提供する。
【００４６】
好ましくは、患者インタフェースは、使用者の顔の形状に実質的に沿うかまたは適合し、それにより、要素は、インタフェースを使用者に対して好ましい治療送達構成で実質的に維持するように力または動き（あるいは両方）に応答する。
【００４７】
さらなる態様では、本発明は広く、それぞれの左本体部分および右本体部分の対であって、各本体部分が、使用時に使用者の顔の上に配置され、本体部分の各々が互いに分離されており、本体部分のうちの少なくとも一方、好ましくは両方が、使用者の鼻の一方または両方の鼻孔に挿入されるかまたはガス流を向ける鼻プロングを含む、左本体部分および右本体部分の対と、左本体部分との接続点から右本体部分との接続点まで延在するバーであって、実質的に弾性変形可能な領域を含むバーとを備え、使用時の左本体部分および／または右本体部分の一方または両方の変位が、接続点を介してバーに伝達可能であり、実質的に弾性変形可能な領域が、その変位に対する反作用応答として変形可能である、患者インタフェースにあり得る。
【００４８】
好ましくは、バーの実質的に弾性変形可能な領域は、実質的に可撓性の部分を含む。
【００４９】
好ましくは、バーの実質的に弾性変形可能な領域は、変位を実質的に吸収するように変形可能である。
【００５０】
好ましくは、バーの実質的に弾性変形可能な領域は、本体部分のうちの一方による本体部分のうちの他方への変位の伝達を低減させる。
【００５１】
好ましくは、本体部分へのバーの接続点はアンカーを介する。
【００５２】
好ましくは、アンカーは、それぞれのプロングの実質的に遠位（ｄｉｓｔａｌ）側に位置する本体部分の領域によって受け入れられるかかり付き突起である。
【００５３】
好ましくは、かかり付き突起およびプロングは流体連通している。
【００５４】
好ましくは、弾性変形可能な領域は、少なくとも１つの平面においてそのまたは両方のプロングと実質的に位置合せされている。
【００５５】
好ましくは、バーの各接続点は、それぞれの本体部分のプロングと流体連通しており、呼吸回路のガス流路と結合するように構成されている。
【００５６】
好ましくは、各本体部分に顔パッドを関連付けることができ、顔パッドは、使用者の顔の領域と係合するように輪郭が付けられている。
【００５７】
さらなる態様では、本発明は広く、鼻カニューレ等の患者インタフェースであって、使用時に使用者の顔の上に配置されるそれぞれの左本体部分および右本体部分の対と、左本体部分と右本体部分の各々の間に延在するブリッジ部分と、それぞれの左本体部分および／または右本体部分の内側端部のうちの１つまたは各々から延在し、または内側端部に実質的に隣接するそれぞれの本体部分のうちの一方または両方の領域から延在する鼻プロングであって、使用者の鼻の一方または両方の鼻孔内に挿入されるかまたはガス流を向ける鼻プロングとを備え、ブリッジ部分が、本体部分の内側端部が互いの方に向かうそれぞれの本体部分の移動を可能にするが、内側端部が互いから離れるように移動するそれぞれの本体部分の動きに抵抗する、患者インタフェースにあり得る。
【００５８】
好ましくは、患者インタフェースが使用者の顔の上で本来の位置にあるとき、使用者の鼻孔に対する１つまたは複数のプロングの移動を最小限にするように、左本体部分および／または右本体部分のうちの一方または両方の位置の変位がブリッジに伝達される。
【００５９】
好ましくは、ブリッジ部分は、延在し、それぞれの本体部分の内側端部を接続している。
【００６０】
好ましくは、ブリッジ部分は、本体部分のそれぞれの内側端部の間に延在する方向において、圧縮を受けることができ、かつ加えられる張力に抵抗するかまたは耐える材料である。
【００６１】
好ましくは、本体部分のそれぞれの内側端部の間に延在する方向は、それぞれの本体部分に沿って延在する長手方向である。
【００６２】
好ましくは、ブリッジ部分は布材料を含む。
【００６３】
好ましくは、ブリッジ部分は、軸方向に拡張可能／伸長可能であるが、内側端部が互いから離れるように移動するそれぞれの本体部分の移動に耐えるように弾性的である。
【００６４】
好ましくは、左本体部分の接続点と右本体部分の接続点との間のブリッジ部分の長さは、鼻プロングの間の距離より大きい。
【００６５】
好ましくは、ブリッジ部分は可撓性ポリマー材料を含む。
【００６６】
さらなる態様では、本発明は広く、鼻カニューレ等の患者インタフェースであって、使用時に使用者の顔の上に配置されるそれぞれの左本体部分および右本体部分の対と、左本体部分と右本体部分の各々の間に延在するブリッジ部分と、それぞれの左本体部分および／または右本体部分の内側端部のうちの１つまたは各々から延在し、または内側端部に実質的に隣接するそれぞれの本体部分のうちの一方または両方の領域から延在する鼻プロングであって、使用者の鼻の鼻孔内に挿入されるかまたはガス流を向ける鼻プロングとを備え、それぞれの本体部分のうちの一方、好ましくは両方が、それぞれの鼻プロングに対して方向付けられた使用者顔接触面を含み、それにより、本来の位置にあるとき、左本体部分および／または右本体部分に加えられるねじり力が、鼻プロングを、使用者の鼻の鼻孔の中で、またはその中にガス流を向ける位置で実質的に保持する、患者インタフェースにあり得る。
【００６７】
好ましくは、使用者の顔に向かう本体部分の回転、好ましくは両本体部分の回転により、顔接触面と使用者の顔との間の接触面積が最大化し、鼻プロングが、使用者の鼻の鼻孔内に、またはその中にガス流を向ける位置に配置される。
【００６８】
好ましくは、ブリッジ部分は、直径が左本体部分および右本体部分より比較的小さい。
【００６９】
好ましくは、各本体部分は、一端がそれぞれの鼻プロングに流体接続され、反対側の端部が呼吸回路のガス流路を流体的に結合するように開放しているチャネルを備える。
【００７０】
好ましくは、左本体部分および右本体部分のうちの少なくとも１つ、好ましくは各々は、使用者の顔に隣接して位置する表面積が増大する、弛緩位置とねじれ位置との間で移動可能な軸方向によじれた顔接触面を含む。
【００７１】
好ましくは、顔接触面は、本体部分の長さに沿って本体部分の内端から本体部分の外端まで軸方向によじれている。
【００７２】
好ましくは、顔接触面は、本体部分の長さに沿ってらせん状に延在している。
【００７３】
好ましくは、顔接触面は、弛緩位置では、遠位端において鼻プロングの延在方向から離れるように面し、ねじれ位置では、鼻プロングの延在方向に面し、かつ本体部分の実質的な長さに沿って実質的に平面である。
【００７４】
好ましくは、１つまたは複数の鼻プロングは、使用者の鼻の鼻孔内に鼻プロングが挿入されると本体部分にねじり力をかけるように、それぞれの左本体部分および右本体部分に対して角度が付けられている。
【００７５】
好ましくは、それぞれの左本体部分および／または右本体部分の顔接触面は、使用者の顔の頬と係合するように輪郭が付けられている。
【００７６】
さらなる態様では、本発明は広く、鼻カニューレ等の患者インタフェースであって、使用時に使用者の顔の上に配置されるそれぞれの左本体部分および右本体部分の対と、左本体部分と右本体部分の各々の間に延在するブリッジ部分と、それぞれの左本体部分および／または右本体部分の内側端部のうちの１つまたは各々から延在し、または内側端部に実質的に隣接するそれぞれの本体部分のうちの一方または両方の領域から延在する鼻プロングであって、使用者の鼻の鼻孔内に挿入されるかまたはその中にガス流を向ける鼻プロングと、顔接触面が受ける力または動きあるいは両方に応答し、かつこうした力および／または動きの鼻プロングへの伝達を少なくとも部分的に軽減するように、互いに対して移動可能な一続きの不連続の別個の顔接触面とを備える患者インタフェースにあり得る。
【００７７】
さらなる態様では、本発明は広く、鼻カニューレ等の患者インタフェースであって、使用時に使用者の顔の上に配置されるそれぞれの左本体部分および右本体部分の対と、左本体部分と右本体部分の各々の間に延在するブリッジ部分と、それぞれの左本体部分および／または右本体部分の内側端部のうちの１つまたは各々から延在し、または内側端部に実質的に隣接するそれぞれの本体部分のうちの一方または両方の領域から延在する鼻プロングであって、使用者の鼻の鼻孔内に挿入されるかまたはその中にガス流を向ける鼻プロングとを備え、カニューレが、少なくとも対の実質的に直交する軸を中心に、または対の実質的に直交する平面に沿って、あるいは両方で、カニューレの別の領域に対して枢動可能であり、それにより、他の領域がうける力または動きあるいは両方に応答し、かつこうした力および／または動きの鼻プロングへの伝達を少なくとも部分的に軽減する、少なくとも１つの蝶番領域を含む、患者インタフェースにあり得る。
【００７８】
好ましくは、少なくとも１つの蝶番領域は、３つの実質的に直交する軸を中心に、または３つの実質的に直交する平面に沿って、あるいは両方で枢動可能である。
【００７９】
好ましくは、ブリッジは、鼻プロングに隣接するかまたは鼻プロングの対の間のブリッジヒンジを備える。
【００８０】
好ましくは、ブリッジヒンジは、急な湾曲を有するように予め仕向けられている。
【００８１】
好ましくは、ブリッジヒンジは、使用者に向かって内向きに、かつ本来の位置で鼻孔から離れるように下方に曲がるように予め仕向けられている。
【００８２】
好ましくは、ブリッジは、ブリッジヒンジの一方の側の第２ヒンジ、またはブリッジヒンジのいずれかの側のかつその１つまたは複数の鼻プロングに隣接する対向する第２ヒンジの対をさらに備える。
【００８３】
好ましくは、第２ヒンジ、または第２ヒンジの対の各ヒンジは、急な湾曲を有するように予め仕向けられている。
【００８４】
好ましくは、第２ヒンジ、または第２ヒンジの対の各ヒンジは、本来の位置で、使用者の鼻孔に向かって上方に、かつ使用者から離れるように外向きに曲がるように予め仕向けられている。
【００８５】
好ましくは、ブリッジは、左本体部分または右本体部分に隣接する第３ヒンジ、またはそれぞれの左本体部分および右本体部分に隣接して配置された第３ヒンジの対を備える。
【００８６】
好ましくは、第３ヒンジ、または第３ヒンジの対の各々は、急な湾曲を有するように予め仕向けられている。
【００８７】
好ましくは、第３ヒンジ、または第３ヒンジの対の各々は、本来の位置で、鼻孔から離れるように下向きに、かつ使用者から離れるように外向きに曲がるように予め仕向けられている。
【００８８】
好ましくは、ブリッジ部分の一端は、第３ヒンジから実質的に直交して延在し、またはブリッジ部分のいずれかの端部は、本来の位置で、第３ヒンジの対のうちのいずれか１つから実質的に直交して、かつ使用者の顔の頬に向かって内向きに延在する。
【００８９】
好ましくは、各本体部分は、使用者の顔の領域と係合するように輪郭が付けられた顔パッドを備える。
【００９０】
好ましくは、ブリッジ部分のいずれかの端部は、顔パッドの少なくとも一部に沿って延在している。
【００９１】
好ましくは、ブリッジ部分は、内部を通してガス流を移送するように、ブリッジ部分の少なくともいずれかの端部において実質的に中空である。
【００９２】
好ましくは、ブリッジ部分のいずれかの端部は、呼吸回路のガス流路を結合するように構成されている。
【００９３】
好ましくは、その鼻プロングまたは各鼻プロングは、ブリッジ部分のそれぞれの端部から延在し、かつそこに流体結合されている。
【００９４】
好ましくは、ブリッジ部分は、ブリッジ部分の長さの少なくとも実質的に一部に沿って環状断面を有する。
【００９５】
好ましくは、ブリッジは、第３ヒンジに隣接する第４ヒンジ、または第３ヒンジのそれぞれの対に隣接する第４ヒンジの対をさらに備える。
【００９６】
好ましくは、第４ヒンジ、または第４ヒンジの対の各ヒンジは、急な湾曲を有するように予め仕向けられている。
【００９７】
好ましくは、第４ヒンジ、または第４ヒンジの対の各ヒンジが、本来の位置で、使用者の鼻孔から離れるように下方に、かつ使用者の顔の頬に向かって内向きに曲がるように予め仕向けられている。
【００９８】
好ましくは、各本体部分は、使用者の顔の領域の上で係合するように輪郭が付けられた顔パッドを備える。
【００９９】
さらなる態様では、本発明は広く、鼻インタフェースであって、インタフェースに力が加えられるときに患者の顔の上でプロングを安定化するように構成された鼻インタフェースであって、患者の顔の外形に略対応する全体的な湾曲を有する細長い本体であって、ガス流源に結合されるように構成され、少なくとも部分的に本体を通して延在する少なくとも１つの内腔を備える細長い本体と、本体から延在しかつ少なくとも１つの内腔と流体連通しているプロングの対と、１つまたは複数のヒンジであって、少なくとも１つのヒンジがプロングの対の間に配置され、予め定義された方向に曲がるように予め仕向けられている、１つまたは複数のヒンジとを備える鼻インタフェースにあり得る。
【０１００】
好ましくは、患者の顔の上に載るように構成された１つまたは複数の顔パッドをさらに備える。
【０１０１】
好ましくは、プロングの対の間に配置された少なくとも１つのヒンジは、細長い本体の全体的な湾曲から略反転した湾曲を有する。
【０１０２】
好ましくは、プロングの対の間に配置された少なくとも１つのヒンジは、患者の顔に向かって内向きに曲がるように構成されている。
【０１０３】
好ましくは、鼻インタフェースは略ガルウィング型形状を有する。
【０１０４】
好ましくは、鼻インタフェースは波型形状を有する。
【０１０５】
好ましくは、鼻インタフェースは湾曲したスペースフレーム状支持構造を有する。
【０１０６】
好ましくは、鼻インタフェースは２つ以上の次元において曲がる。
【０１０７】
好ましくは、１つまたは複数のヒンジは切欠きを備える。
【０１０８】
好ましくは、１つまたは複数のヒンジは可変断面積を有する。
【０１０９】
好ましくは、１つまたは複数のヒンジは可変厚さを有する。
【０１１０】
好ましくは、１つまたは複数のヒンジは可撓性が異なる２つ以上の材料を含む。
【０１１１】
好ましくは、１つまたは複数のヒンジは、患者に適用する前に予め応力が加えられるように構成された弾性ヒンジを含む。
【０１１２】
好ましくは、１つまたは複数のヒンジはバレルおよびピンを含む。
【０１１３】
好ましくは、１つまたは複数のヒンジはボールおよびソケットを含む。
【０１１４】
さらなる態様では、本発明は広く、鼻インタフェースであって、細長い本体であって、少なくとも部分的に本体を通して延在する少なくとも１つの内腔を備え、ガス流源に結合されるように構成された細長い本体と、本体から延在しかつ少なくとも１つの内腔と流体連通している１つまたは複数のプロングと、予め定義された方向に曲がるように予め仕向けられている１つまたは複数のヒンジとを備え、１つまたは複数のヒンジが、鼻インタフェースに力がかけられるときに患者の顔の上で１つまたは複数のプロングの位置を安定化するように構成されている、鼻インタフェースにあり得る。
【０１１５】
好ましくは、患者の顔の上に載るように構成された１つまたは複数の顔パッドをさらに備える。
【０１１６】
好ましくは、１つまたは複数のヒンジのうちの少なくとも１つは、１つまたは複数のプロングに隣接してまたはその間に配置されている。
【０１１７】
好ましくは、１つまたは複数のヒンジのうちの少なくとも１つは、患者の顔に向かって内向きに曲がるように構成されている。
【０１１８】
好ましくは、１つまたは複数のヒンジのうちの少なくとも１つは、下方に曲がるように構成されている。
【０１１９】
好ましくは、鼻インタフェースは略ガルウィング型形状を有する。
【０１２０】
好ましくは、鼻インタフェースは波型形状を有する。
【０１２１】
好ましくは、鼻インタフェースは湾曲したスペースフレーム状支持構造を有する。
【０１２２】
好ましくは、鼻インタフェースは２つ以上の次元において曲がる。
【０１２３】
好ましくは、鼻インタフェースは、オーバストラップブリッジによって結合される２つの別個の側部を備える。
【０１２４】
好ましくは、１つまたは複数のヒンジは切欠きを備える。
【０１２５】
好ましくは、１つまたは複数のヒンジは可変断面積を有する。
【０１２６】
好ましくは、１つまたは複数のヒンジは可変厚さを有する。
【０１２７】
好ましくは、１つまたは複数のヒンジは、可撓性が異なる２つ以上の材料を含む。
【０１２８】
好ましくは、１つまたは複数のヒンジは、患者に適用する前に予め応力が加えられるように構成された弾性ヒンジを含む。
【０１２９】
好ましくは、１つまたは複数のヒンジはバレルおよびピンを含む。
【０１３０】
好ましくは、１つまたは複数のヒンジはボールおよびソケットを含む。
【０１３１】
さらなる態様では、本発明は広く、鼻インタフェースであって、細長い本体であって、少なくとも部分的に本体を通して延在する少なくとも１つの内腔を備え、ガス流源に結合されるように構成された細長い本体と、本体に結合されかつ少なくとも１つの内腔と流体連通している１つまたは複数のプロングとを備え、細長い本体が、患者または患者群の顔の外形の解剖学的輪郭に略対応する形状を有する、鼻インタフェースにあり得る。
【０１３２】
好ましくは、患者群は、未熟児、新生児、幼児、小児または成人のうちの１つである。
【０１３３】
好ましくは、管状本体は、最初は可鍛性である。
【０１３４】
好ましくは、管状本体の形状は、硬化プロセスを通して固定される。
【０１３５】
本明細書で用いる「備えている（ｃｏｍｐｒｉｓｉｎｇ）」という用語は、「少なくとも部分的に〜から構成されている」を意味する。本明細書において「備えている」という用語を含む各文を解釈するとき、その用語の前にくる特徴以外の特徴も存在し得る。「備える（ｃｏｍｐｒｉｓｅ）」および「備える（ｃｏｍｐｒｉｓｅｓ）」等の関連する用語は、同様に解釈されるべきである。
【０１３６】
本明細書で用いる「ガルウィング型の」という用語は、患者インタフェースの上面図または底面図のいずれかとしてみた場合（たとえば、一連のそれぞれの頂または谷が線図として描かれている場合）、２つの頂（あるいは頂状領域）およびこうした頂の間に位置する谷（あるいは谷状領域）、または２つの谷（あるいは谷状領域）およびこうした谷の間に位置する頂（あるいは頂状領域）を備える形状を意味する。こうした頂または谷は、互いの間で比較的弓状にまたは曲線状に遷移することができる。任意選択的に、各頂または谷は、典型的な使用者の顔の顔面の輪郭または外形に実質的に一致するかまたは同化するような形状とされるかまたはそのように湾曲していてもよい。
【０１３７】
本明細書で用いる「波型の」という用語は、患者インタフェースの上面図または底面図のいずれかとしてみた場合（たとえば、一連のそれぞれの頂または谷が線図として描かれている場合）、複数の頂（あるいは頂状領域）と複数の谷（あるいは谷状領域）とを備え、少なくとも１つの谷（あるいは谷状領域）、またはそれぞれ頂（あるいは頂状領域）の対の間に配置された少なくとも１つの頂（あるいは頂状領域）またはそれぞれ頂（あるいは頂状領域）の対の間に配置された少なくとも１つの谷（あるいは谷状領域）を備える形状を意味する。こうした頂または谷は、互いの間で比較的弓状にまたは曲線状に遷移することができる。任意選択的に、各頂または谷は、典型的な使用者の顔の輪郭または外形に実質的に一致するかまたは同化するような形状とされるかまたはそのように湾曲していてもよい。
【０１３８】
本明細書で用いる「スペースフレーム」という用語は、使用者または患者インタフェースのガス出口（たとえば、鼻プロングまたは鼻プロングの対）にガスを送達するために、ガス送達ラインまたは導管を接続するかまたは他の方法で取り付けるかあるいは支持する、実質的に中空の足場または支持構造を提供する構造を意味する。
【０１３９】
「予め形成する」と言う場合、こうした予め形成された要素は、優先的な形状で変形したまたは変位可能な応答を提供することができる形状または構成を提供するように製造されるか、成形されるか、構成されるか、または組み立てられる要素を意味する。
【０１４０】
「優先的な形状」と言う場合、これは、蝶番または曲げまたは変形または変位の所定のあるいは好ましい１つの平面（もしくは複数の平面）または１つの軸（もしくは複数の軸）を意味する。
【０１４１】
「分離」と言う場合、これは、少なくとも部分的な隔離または抑制または吸収（または他の何らかのモード）、好ましくは限定されないが機械的モードがあり、インタフェースの第１領域または第１部分に与えられるまたは加えられる力または動き（あるいは両方）が、少なくとも、インタフェースの別の領域または部分に完全に伝達されないように最小化されることを意味する。
【０１４２】
本発明はまた、広義に、個別にまたはまとめて、本出願の明細書において言及されるかまたは示される部品、要素および特徴と、任意の２つ以上の前記部品、要素または特徴の任意のまたはすべての組合せとにあると言うことも可能であり、本発明が関連する技術分野において既知の均等物を有する所定の完全体について本明細書において言及される場合、こうした既知の均等物は、個別に示されているかのように本明細書に組み込まれるものとみなされる。
【０１４３】
本発明は、上述したことにあり、以下に単なる例として示す構造もまた想定する。
【０１４４】
本発明の好ましい実施形態について、単に例として且つ図面を参照して説明し、図面において、図１〜図２０は、本発明による患者インタフェースの実施形態を示す。
【図面の簡単な説明】
【０１４５】
【図１】当技術分野において既知である鼻インタフェースの正面立面図である。
【図２】力が加えられるときの図１の鼻インタフェースの曲げを示す上面図である。
【図３Ａ】患者の顔面にある図１の鼻インタフェースの底面図である。
【図３Ｂ】患者の顔の上にある解剖学的に形成された鼻インタフェースの実施形態の底面図である。
【図４Ａ】弛緩状態にある患者の顔のさまざまな図である。
【図４Ｂ】弛緩状態にある患者の顔のさまざまな図である。
【図４Ｃ】弛緩状態にある動的インタフェースの実施形態のワイヤフレームの輪郭である。
【図５Ａ】応力状態にある患者の顔のさまざまな図である。
【図５Ｂ】応力状態にある患者の顔のさまざまな図である。
【図５Ｃ】応力状態にある図４Ｃの動的インタフェースのワイヤフレームの輪郭である。
【図６Ａ】弛緩状態にある動的インタフェースの実施形態のワイヤフレームの輪郭である。
【図６Ｂ】応力状態において外力が加えられるときの図６Ａの動的インタフェースのワイヤフレームの輪郭である。
【図７Ａ】たとえばガルウィング型形状の動的インタフェースの実施形態のさまざまな図である。
【図７Ｂ】たとえばガルウィング型形状の動的インタフェースの実施形態のさまざまな図である。
【図７Ｃ】力が加えられるときの図７Ａおよび図７Ｂのガルウィング型動的インタフェースの曲げを示す上面図である。
【図８Ａ】たとえば波型形状の動的インタフェースの実施形態のさまざまな図である。
【図８Ｂ】たとえば波型形状の動的インタフェースの実施形態のさまざまな図である。
【図８Ｃ】たとえば波型形状の動的インタフェースの実施形態のさまざまな図である。
【図９Ａ】スペースフレーム動的インタフェースの上面斜視図実施形態である。
【図９Ｂ】患者の顔の上にある図９Ａのスペースフレーム動的インタフェースのさまざまな図である。
【図９Ｃ】患者の顔の上にある図９Ａのスペースフレーム動的インタフェースのさまざまな図である。
【図９Ｄ】患者の顔の上にある図９Ａのスペースフレーム動的インタフェースのさまざまな図である。
【図１０Ａ】多方向動的インタフェースの実施形態のさまざまな図である。
【図１０Ｂ】多方向動的インタフェースの実施形態のさまざまな図である。
【図１０Ｃ】患者の顔における自然なしわを示す。
【図１０Ｄ】患者の顔の上における図１０Ａおよび図１０Ｂの多方向動的インタフェースのさまざまな図である。
【図１０Ｅ】患者の顔の上における図１０Ａおよび図１０Ｂの多方向動的インタフェースのさまざまな図である。
【図１０Ｆ】患者の顔の上における図１０Ａおよび図１０Ｂの多方向動的インタフェースのさまざまな図である。
【図１１Ａ】オーバストラップ動的インタフェースの実施形態のさまざまな図である。
【図１１Ｂ】オーバストラップ動的インタフェースの実施形態のさまざまな図である。
【図１１Ｃ】オーバストラップ動的インタフェースの実施形態のさまざまな図である。
【図１２Ａ】切欠きヒンジの実施形態のさまざまな図である。
【図１２Ｂ】切欠きヒンジの実施形態のさまざまな図である。
【図１３Ａ】切欠きヒンジの異なる実施形態のさまざまな図である。
【図１３Ｂ】切欠きヒンジの異なる実施形態のさまざまな図である。
【図１３Ｃ】切欠きヒンジの異なる実施形態のさまざまな図である。
【図１３Ｄ】切欠きヒンジの異なる実施形態のさまざまな図である。
【図１４Ａ】可変断面ヒンジの実施形態のさまざまな図である。
【図１４Ｂ】可変断面ヒンジの実施形態のさまざまな図である。
【図１５Ａ】切取部を有する可変断面ヒンジの実施形態のさまざまな図である。
【図１５Ｂ】切取部を有する可変断面ヒンジの実施形態のさまざまな図である。
【図１６Ａ】可変厚さヒンジの実施形態のさまざまな図である。
【図１６Ｂ】可変厚さヒンジの実施形態のさまざまな図である。
【図１７Ａ】複合ヒンジの実施形態のさまざまな図である。
【図１７Ｂ】複合ヒンジの実施形態のさまざまな図である。
【図１８Ａ】弾性ヒンジの実施形態のさまざまな図である。
【図１８Ｂ】弾性ヒンジの実施形態のさまざまな図である。
【図１８Ｃ】弾性ヒンジの実施形態のさまざまな図である。
【図１８Ｄ】弾性ヒンジの実施形態のさまざまな図である。
【図１９Ａ】バレルおよびピンヒンジの実施形態のさまざまな図である。
【図１９Ｂ】バレルおよびピンヒンジの実施形態のさまざまな図である。
【図１９Ｃ】指向性の動きがあるバレルおよびピンヒンジの実施形態のさまざまな図である。
【図１９Ｄ】指向性の動きがあるバレルおよびピンヒンジの実施形態のさまざまな図である。
【図２０】ボールおよびソケットヒンジを備えた動的鼻インタフェースの正面立面図である。
【図２１Ａ】さまざまな角度から患者インタフェースの別の実施形態を示す。
【図２１Ｂ】さまざまな角度から患者インタフェースの別の実施形態を示す。
【図２１Ｃ】さまざまな角度から患者インタフェースの別の実施形態を示す。
【図２２】患者インタフェースの別の実施形態の正面図を示す。
【図２３Ａ】さまざまな角度から患者インタフェースの別の実施形態を示す。
【図２３Ｂ】さまざまな角度から患者インタフェースの別の実施形態を示す。
【図２３Ｃ】さまざまな角度から患者インタフェースの別の実施形態を示す。
【図２４Ａ】さまざまな角度から患者インタフェースの別の実施形態を示す。
【図２４Ｂ】さまざまな角度から患者インタフェースの別の実施形態を示す。
【図２４Ｃ】さまざまな角度から患者インタフェースの別の実施形態を示す。
【図２５Ａ】さまざまな角度から患者インタフェースの別の実施形態を示す。
【図２５Ｂ】さまざまな角度から患者インタフェースの別の実施形態を示す。
【図２５Ｃ】さまざまな角度から患者インタフェースの別の実施形態を示す。
【図２６】さまざまな角度から患者インタフェースの別の実施形態を示す。
【図２７Ａ】さまざまな角度から患者インタフェースの別の実施形態を示す。
【図２７Ｂ】さまざまな角度から患者インタフェースの別の実施形態を示す。
【図２７Ｃ】さまざまな角度から患者インタフェースの別の実施形態を示す。
【図２８】さまざまな角度から患者インタフェースの別の実施形態を示す。
【発明を実施するための形態】
【０１４６】
本発明の上述した説明は、その好ましい形態を含む。本発明の範囲から逸脱することなくそれらの形態に対する変更形態をなすことができる。
【０１４７】
使用者の変化する顔の形状に沿うように、あるいは使用者の上の安定した位置を維持するために、または外力が加えられるときに少なくとも安定性の維持を改善するために役立つように構成される、患者インタフェースを提供することが望ましい。
【０１４８】
これらの成果のうちの一方または両方、あるいはさらには他の成果を達成するために、使用者の顔の上での安定性および／または性能を向上させた代替的な患者インタフェースを提供することが有用である。
【０１４９】
一態様では、本発明は、鼻カニューレ等の患者インタフェースであって、使用者（好ましくは使用者の顔等）の上に配置される本体を備える患者インタフェースに関する。本体は、少なくとも１つの（および好ましくは対の）鼻プロングを含み、そのまたは各鼻プロングは、呼吸用ガスの供給源と流体連通するように鼻プロングに流体接続されることが可能な内腔を含む。そのまたは各鼻プロングは、使用者の鼻の一方または両方の鼻孔内に挿入される構成であり、あるいは一方または両方の鼻孔にガス流を向けるものである。本体は、患者インタフェースの少なくとも１つの他の領域に伝達されないように、患者インタフェースの少なくとも第１領域が受ける力または動きあるいは両方に対して応答する少なくとも１つの要素を含む。
【０１５０】
こうした発明に関連して、その具体的な実施形態を詳述する添付図面を参照する。具体的な実施形態の詳細は、以下のさまざまなセクションに記載する。
【０１５１】
具体的な実施形態の詳細の前に、以下の説明は、先に詳述したような発明に関する。たとえば、こうしたインタフェースは、インタフェースの少なくとも別の領域に伝達されないように、インタフェースの少なくとも第１領域に加えられるような力または動きあるいは両方の伝達の低減を促進する要素を含むことができる。こうした要素は、図および具体的な実施形態の説明を参照して後に詳述するように、蝶番部分であり得ることが理解されよう。第１領域は、使用者が直接与えるか、または呼吸回路あるいはヘッドギア、または患者インタフェースおよび呼吸用ガスの供給を可能にする呼吸回路に関連する他の構成要素、または使用者の付近にあり得る他の物品、たとえば、おしゃぶり、毛布、クッション、玩具等によってかけられる、力または動き（あるいは両方）にさらされる可能性がある、患者インタフェースの任意の部品、構成要素、ゾーンまたは領域であり得ることも理解されよう。
【０１５２】
本発明の要素は、少なくとも第１領域が受ける力または動きあるいは両方を局所化するように応答するように設計されている。
【０１５３】
要素は、患者インタフェースの少なくとも第１領域から少なくとも１つの他の領域への力または動きあるいは両方の伝達を最小限にするかまたは防止するように応答することができることも可能である。この応答からの成果または結果は、こうしたインタフェースが使用者の上に設置または配置されたときにより安定し得るということである。
【０１５４】
これに関して、患者インタフェースは、特に鼻カニューレ等の患者インタフェースであり得ることが理解されよう。
【０１５５】
本発明の拡張は、（フルフェイス、口、鼻、鼻ピローまたは口−鼻のいずれであっても）マスクまたは他の派生物あるいはこれらの変形に対する等、さらに他のインタフェースにも適用することができる。
【０１５６】
インタフェースに組み込まれるその要素（または複数の要素）は、好ましくは、少なくとも１つの（および好ましくは対の）鼻プロングを、使用者の鼻の一方または両方の鼻孔に挿入される構成で、または使用者の鼻の一方または両方の鼻孔にガス流を向ける構成で維持するように応答する。たとえば、別の所望の成果は、応答が、少なくとも１つの（または好ましくは対の）鼻プロングが、プロングが向けられる使用者の鼻の鼻孔内でまたはそれに隣接して安定した位置を維持するようなものであるということである。
【０１５７】
要素の応答は、インタフェースの少なくとも第１領域からインタフェースの少なくとも１つの他の領域への力または動きの伝達を防止するかまたは最小限にすることに少なくとも幾分か役立つように動作する。したがって、使用者が使用するために、より安定したインタフェースを提供することができる。より全体的に安定したインタフェースを提供することで、使用者の快適さの改善を達成することができる。使用者への治療の送達の改善もまた達成することができる。こうした両方の達成により、より使いやすいインタフェースまたはデバイスにすることができる。
【０１５８】
有利には、本発明により、インタフェースが、インタフェースが使用者の上の動作可能な位置を維持するように応答可能な要素の能力または包含を有する要素を含むことが可能になる。
【０１５９】
さらに、インタフェースの少なくとも第１領域が受ける力または動きあるいは両方は、ｉ）鼻プロングと患者インタフェースの本体との間の加えられた力または動き、あるいは（ｉｉ）患者インタフェースの本体と鼻プロングとの間の加えられた力または動きのうちのいずれかまたは両方である。要素は、こうした力または動きに対して、力または動きのインタフェースの他の部品への伝達を少なくとも実質的に改善するように、または少なくとも使用者の上でインタフェースを動作可能なまたは快適な構成で維持するように、あるいはインタフェースが不快になるかまたは使用者のための治療動作可能な構成から移動することになる可能性を少なくとも軽減するように上記改善を行うように応答する。
【０１６０】
いくつかの実施形態では、要素は、変形可能な部材、あるいは力または動き（あるいは両方）に応じて変形することができる部材である。
【０１６１】
インタフェースの少なくとも第１領域が受けている、加えられた力または動きあるいは両方に応答する、要素による所定のまたは優先的な変形モードを提供することができる。たとえば、要素は、少なくとも１つの軸を中心にまたは少なくとも１つの平面であるいは両方で等、いくつかの優先的な形状で変形可能であり得る。変形は、複数の軸または平面または形状における可能性があり、こうした変形は、加えられた力または動き（あるいは両方）に対する要素による応答を提供するために、優先的な方向にあることが理解されよう。こうした変形が、要素または複数の要素の少なくとも圧縮または引張またはねじりまたは曲げまたは他のたわみのうちの１つまたは組合せであり得ることも理解されよう。
【０１６２】
要素に関して、応答は、形状の変化、または位置の変化、または構成の変化のうちの１つまたは任意のものの組合せでもあり得る。
【０１６３】
こうした要素のさまざまな実施形態は、特に限定されないが、以下のうちの１つまたは複数を含み、それらの各々を、互いに組み合わせて使用するか、または複数の要素を提供するように部材あるいは他の部分または構成要素によって接続することができ、それら複数の要素は、組み合わせて、少なくとも第１領域からのインタフェースへの力または動きの伝達を改善するように所望の応答を提供する。
ヒンジ、ピボット、関節継手あるいは本体または本体に関連する部分の関節接続された部分、スイベル、ボール−ソケット型継手、ピン−イン−バレル型継手、
インタフェースの他の部分より比較的可撓性の低い材料、インタフェースの他の部分より比較的可撓性の高い材料、力または動きが加えられるときに、加えられた力または動き（あるいは両方）に対する抵抗を増大させることにより、あるいは加えられた力または動き（あるいは両方）に対する抵抗を低減させること等により、変化する特性を有する材料、または加えられた力または動き（あるいは両方）に応答して弾性変形可能な材料、または特定のもしくは所定の形状で優先的に変形可能であるが、他の特定のもしくは所定の形状では変形に対して任意選択的に抵抗し得る材料、
ピボット（またはスイベル）、あるいは枢動（または旋回）することができる領域、
ヒンジまたは蝶番領域、あるいはインタフェースの別の構成要素またはインタフェースの別の領域に対して蝶番式に取り付けられることが可能な領域、
関節または関節継手、あるいは関節運動することができる領域。
【０１６４】
要素は、インタフェースの少なくとも１つの他の領域に伝達されないように、インタフェースの少なくとも第１領域が受ける動きの全体的な力を阻止し、または最小限にし、または少なくとも低減させるように、力または動きあるいは両方に応答して提供し、または動作し、または作用するように構成することができる。
【０１６５】
要素は、インタフェースに組み込まれた機構もしくは材料特性、または構造、機構および材料特定の任意の組合せであり得るか、あるいはインタフェースの中または上に１つまたは複数のこうした要素を組み込んだインタフェースの領域であり得る。
【０１６６】
いくつかの形態では、要素は、加えられた力または動きに応答する所定のまたは優先的な変形モードを有することができる。たとえば、要素は、少なくとも１つの軸を中心にまたは少なくとも１つの平面において、または優先的な第１形状の周囲で変形可能であり得るか、あるいは圧縮または引張またはねじりまたは曲げまたは他のこうしたたわみのうちの１つまたは組合せによって変形可能であり得る。
【０１６７】
１つまたは複数の要素を利用しインタフェースに組み込むことができ、こうした要素は、単独で動作し、または作用し、または応答を提供することができ、あるいは互いに組み合わせてそれを行うことができる。複数の要素からのいくつかの組み合わされた応答は、いくつかの要素が、インタフェースの１つの領域から他の領域への力または動きの伝達を改善する応答を提供することができるが、他の要素は異なるように応答するという利点を有することができる。たとえば、異なる要素が異なる応答のモードを有し、あるいは異なる要素を、動作可能にあるいは動作不可能に互いに、または所望の方法でインタフェースの他の部品に接続することができる。こうした要素の組み合わされた応答または使用は、好ましくは、使用者の上での使用中にインタフェースの快適さまたは安定性における全体的な改善を可能にする。
【０１６８】
本発明のインタフェースに組み込まれるような要素は、望ましくは、
隔離体または隔離領域、
吸収体または吸収領域、
抑制体または抑制領域、
あるいは、患者インタフェースの少なくとも第２領域または別の領域に伝達されないように、患者インタフェースの少なくとも第１領域に与えられた力または動きに対する反作用応答を提供する他の任意の構造または機構
のうちの１つまたは複数として提供することができる。いくつかの形態では、要素は、インタフェースの少なくとも１つの他の領域に伝達されないように、インタフェースの少なくとも第１領域に加えられる力または動き（あるいは両方）のいわゆる分離を可能にすることができる。
【０１６９】
要素の応答は、使用者による使用中に患者インタフェースの少なくとも１つの他の領域に伝達されないように、少なくとも第１領域に与えられた力または動きの隔離または吸収または抑制または低減または分離のうちの少なくとも１つ（または組合せ）であり得る。
【０１７０】
要素が、力または動き（あるいは両方）に対する応答として優先的な形状または次元で変形するかまたは変位するように予め形成されている要素を含むように準備することができる。
【０１７１】
たとえば、要素は、インタフェースの本体を形成する材料または構成要素の優先的な曲げまたはたわみまたはよじれまたはねじり、あるいは優先的なまたは所定の枢動または伸長または圧縮を促進することができる。
【０１７２】
要素は、スポンジ状材料、あるいは引張に耐えることができるが圧縮に耐えることができず、または圧縮に耐えるが引張に耐えることができない、またはいくつかの形状では要素の材料または構成要素の伸長または拡張（または圧縮）を可能にするが、他の形状では伸長または引張に抵抗する材料等、異なる材料特性または構造の領域であり得る。
【０１７３】
ボールソケット継手等のさまざまな構成の要素を提供することができ、それらは、たとえば鼻カニューレインタフェースの中心から外れた本体部分（たとえば、左本体部分または右本体部分あるいは両方）と中心部分または領域（たとえば、使用者の中隔部位にあり得るブリッジ部分）との間等、インタフェースの異なる領域の間に提供され、こうした要素は、インタフェースの他の部品への力または動きの伝達を低減させる応答を促進し、それにより、使用者インタフェースの快適さと治療送達の連続した維持とを改善するのに役立つ。
【０１７４】
さらに他の変形形態は、要素が、優先的に曲がるか、あるいは加えられた力または動きに適応することができるように、要素が、たとえば蝶番部分またはピボットまたはスイベルジョイント部分または領域として配置される、インタフェースの部分を含む。
【０１７５】
力または動きは、インタフェースに適用されるかまたはインタフェースが受ける可能性がある任意のものであり得る。典型的には、いくつかの力または動きは、インタフェースの使用者が、インタフェースが保持されるかまたは配置されるかまたは位置付けられる自身の顔の形状を変化させることから、あるいは使用者がインタフェースまたはその関連するヘッドギアを引っ張るか、またはそれらに力または動きを加えることによる等、あるいはインタフェースの呼吸回路または他の構成要素が、インタフェースの一部またはその関連するヘッドギアを重みで押し下げることによる等、力または動きを加えることの結果として生じ得る。
【０１７６】
発話、摂食または他の顔のゆがみの間、および弛緩状態と誇張状態との間等のインタフェースの使用者の顔の形状の変化もまた、インタフェースの１つまたは複数の領域に加えられるかまたは与えられている力または動きの原因となり得る。
【０１７７】
本発明の要素は、有利には、こうした力または動きが快適さまたはインタフェースの使用者に対する治療の送達に影響を与える可能性を低減させるのに役立つように構成される。
【０１７８】
さまざまな例では、患者インタフェースが鼻カニューレである場合、鼻プロングと患者インタフェースの本体との間、または患者インタフェースの本体と鼻プロングとの間の加えられる力または動きは、プロングがはじけ飛ぶ問題を助長し得る（インタフェースの鼻プロングが、使用者の鼻の鼻孔とともに移動し、またはさらには鼻孔から完全に外れる可能性がある）。鼻孔内で移動する鼻プロングは使用者に刺激を与える可能性があり、鼻孔からプロングが取り除かれるかまたは外れることは、使用者に対する治療の好ましい送達に影響を与える。プロングがはじけ飛ぶのを回避するのに役立つシステムまたは方法が有利である。
【０１７９】
１つの特定の実施形態では、少なくとも１つの要素、または要素のうちの少なくとも１つは、使用者の中隔領域に実質的に隣接する等、カニューレ患者インタフェースのブリッジ領域に配置されている。
【０１８０】
他の実施形態では、インタフェースは、応答を提供するように、単独でまたは他の要素と組み合わせて利用される複数の要素を備えることができる。
【０１８１】
さらなる実施形態では、少なくとも１つの要素は、左本体部分と右本体部分との間のブリッジとして配置されたかまたは位置付けられた蝶番部分とすることができ、本体部分の各々は、使用者の顔の上に配置されるインタフェースの本体をあわせて形成し、こうした蝶番部分は、本体の少なくとも第１領域または本体の一部が使用者の顔の形状の変化からもたらされる力または動き（あるいは両方）を受けることに応答して、優先的な変形の領域を提供する。
【０１８２】
本明細書で考察するすべての実施形態において、インタフェースが配置される使用者の顔または身体の一部に対して略沿うかまたは適合するかまたは解剖学的に成形されるインタフェースの追加のただし任意選択的な構成があり得る。このように、使用者の顔の形状に実質的に沿うかまたは適合する患者インタフェースにより、要素が、インタフェースを使用者に対して好ましい治療送達構成で実質的に維持するように力または動き（あるいは両方）に応答することができる。
【０１８３】
以下、本発明によるさらに具体的な実施形態を、添付の図面を参照して例示するように提供する。
【０１８４】
本明細書に開示する実施形態のうちの少なくとも１つの態様は、少なくとも鼻インタフェースで、顔の上における鼻インタフェースの安定性が重要であり、それは、鼻インタフェースの移動が、鼻孔に対する激しい刺激をもたらし、またはプロングを患者の鼻孔から出るように変位させ得る（それにより、治療が阻止されるかまたは中断される可能性がある）ためであるという理解を含む。
【０１８５】
患者の顔に鼻インタフェースを保持する現行の方法には、プロングを鼻孔から出るように変位させるかまたは鼻孔の敏感な領域を刺激し得るという不都合がある。これらの望ましくない結果は、限定されないが、不適切な適用、不適切なサイズ、患者の姿勢、顔の動きおよび異常な顔の形状を含む、種々の理由から発生し得る。
【０１８６】
患者の耳の周囲に通される管の場合、管は、耳から落下し、プロングを鼻孔から外す可能性がある。管はまた、患者がうつぶせに寝るときにも変位し得、それにより、プロングは、鼻孔から外れるかまたは鼻孔の側部をこする。さらに、ストラップまたは弾性バンドの使用は、不都合なことに、特に患者が枕の上で頭の向きを変えるときに、患者の頭部に対して鼻インタフェースが摺動する傾向があり、それにより、プロングが鼻孔から外れるかまたは激しい刺激がもたらされる。供給チューブが他の物体に引っ掛るかまたは患者が管を引っ張る等、他の外力によってもまた、鼻プロングが鼻孔から外れるかまたは鼻孔を刺激し得る。
【０１８７】
以前は、鼻インタフェースを適所に保持するために、医療用粘着テープが使用されていた。しかしながら、患者の顔へのインタフェースの固定は、特に幼児および新生児に対して、患者の鼻孔内にプロングを保持することに問題をもたらすことが分かった。うつぶせに寝ることから患者の顔が押しつぶされる場合、現行の鼻インタフェースは、鼻インタフェースのブリッジにおいて顔から離れる方向に曲がる傾向がある。インタフェースが曲がることにより、プロングが患者の鼻孔から出るように変位するか、または患者の鼻の側部に対して押しつぶされ、患者に送達されているガスの少なくとも部分的な閉塞をもたらす。
【０１８８】
いくつかの実施形態では、本明細書に記載するような患者インタフェースは、こうした患者インタフェースを使用者の顔の上に配置しまたは固定するためのヘッドギアシステムとともに利用することができるが、こうした患者インタフェースは、こうした配置で使用されるときに力または動き（あるいは両方）に応答することが依然として可能であることが理解されよう。
【０１８９】
さらに他の実施形態では、ヘッドギア配置または構成が、患者インタフェースが受ける力または動き（あるいは両方）のためにインタフェースが受ける可能性がある負荷のうちの一部を取り除くように動作するとともに、インタフェースもまた負荷の一部を取り除くように動作することが理解されよう。
【０１９０】
したがって、本明細書に開示する実施形態のうちの少なくとも１つによれば、顔の動きまたは外力によってもたらされるようにプロングが患者の鼻孔から出るように変位するかまたは鼻孔を刺激する可能性を防止するかまたは実質的に低減させる鼻インタフェースを使用することができる。
【０１９１】
鼻インタフェースは、インタフェースに力がかけられるときに患者の顔の上でプロングを安定化するように構成することができる。鼻インタフェースは、患者の顔の外形に略対応する全体的な湾曲を有する細長い本体を含むことができ、本体は、ガス流源に結合されるように構成され、少なくとも部分的に本体を通して延在する少なくとも１つの内腔を有する。鼻インタフェースは、本体から延在しかつ少なくとも１つの内腔と流体連通するプロングを有することができる。鼻インタフェースは、１つまたは複数のヒンジを有することができ、少なくとも１つのヒンジは、プロングの対の間に、または使用時に鼻孔の間に配置することができ、それは予め定義された方向に曲がるように予め仕向けられている。
【０１９２】
鼻インタフェースは、患者の顔の上に載るように構成された１つまたは複数の顔パッドを含むことができる。いくつかの実施形態では、プロングの対の間に配置された少なくとも１つのヒンジは、細長い本体の全体的な湾曲から略反転した湾曲を有することができる。プロングの対の間に配置された少なくとも１つのヒンジは、患者の顔に向かって内向きに曲がるように構成することができる。鼻インタフェースは２つ以上の次元において曲ることができる。
【０１９３】
鼻インタフェースは、略ガルウィング型形状を有することができる。いくつかの実施形態では、鼻インタフェースは、波型形状を有することができる。いくつかの実施形態では、鼻インタフェースは、湾曲したスペースフレーム状支持構造を有することができる。
【０１９４】
１つまたは複数のヒンジは切欠きを含むことができる。１つまたは複数のヒンジは、可変断面積を含むことができる。１つまたは複数のヒンジは、可変厚さを含むことができる。１つまたは複数のヒンジは、可撓性が異なる２つ以上の材料を含むことができる。１つまたは複数のヒンジは、患者に適用する前に予め応力が加えられるように構成される弾性ヒンジを含むことができる。１つまたは複数のヒンジはバレルおよびピンを含むことができる。１つまたは複数のヒンジはボールおよびソケットを含むことができる。
【０１９５】
いくつかの実施形態では、鼻インタフェースは、細長い本体であって、少なくとも部分的に本体を通して延在する少なくとも１つの内腔を有し、ガス流源に結合されるように構成された細長い本体を含むことができる。１つまたは複数のプロングが、本体から延在し、かつ少なくとも１つの内腔と流体連通することができる。鼻インタフェースは、予め定義された方向に曲がるように予め仕向けられている１つまたは複数のヒンジを含むことができ、１つまたは複数のヒンジは、鼻インタフェースに力がかけられるときに患者の顔の上で１つまたは複数のプロングの位置を安定化するように構成されている。
【０１９６】
鼻インタフェースは、患者の顔の上に載るように構成された１つまたは複数の顔パッドを含むことができる。１つまたは複数のヒンジのうちの少なくとも１つを、１つまたは複数のプロングに隣接してあるいはそれらの間に、またはさらに顔パッドのうちの１つに沿って配置することができる。１つまたは複数のヒンジのうちの少なくとも１つを、患者の顔に向かって内向きに曲がるように構成することができる。１つまたは複数のヒンジのうちの少なくとも１つを、下方に曲がるように構成することができる。鼻インタフェースは、２つ以上の次元において曲がることができる。
【０１９７】
鼻インタフェースは、略ガルウィング型形状を有することができる。いくつかの実施形態では、鼻インタフェースは、波型形状を有することができる。
【０１９８】
鼻インタフェースは、湾曲したスペースフレーム状支持構造を有することができる。
【０１９９】
いくつかの実施形態では、鼻インタフェースは、オーバストラップブリッジによって結合される２つの別個の側部を有することができる。
【０２００】
１つまたは複数のヒンジは切欠きを含むことができる。１つまたは複数のヒンジは、可変断面積を含むことができる。１つまたは複数のヒンジは、可変厚さを含むことができる。１つまたは複数のヒンジは、可撓性が異なる２つ以上の材料を含むことができる。１つまたは複数のヒンジは、患者に適用する前に予め応力が加えられるように構成される弾性ヒンジを含むことができる。１つまたは複数のヒンジはバレルおよびピンを含むことができる。１つまたは複数のヒンジはボールおよびソケットを含むことができる。
【０２０１】
いくつかの実施形態では、鼻インタフェースは、細長い本体であって、少なくとも部分的に本体を通して延在する少なくとも１つの内腔を有し、ガス流源に結合されるように構成された細長い本体を含むことができる。本体に１つまたは複数のプロングを結合することができ、１つまたは複数のプロングは、少なくとも１つの内腔と流体連通することができる。細長い本体は、患者または患者群の顔の外形の解剖学的輪郭に略対応する形状を有することができる。
【０２０２】
患者群は、未熟児、新生児、幼児、小児、十代または成人のうちの１つであり得る。いくつかの実施形態では、管状本体は、最初は可鍛性であり得る。管状本体の形状は、硬化プロセスを通して固定することができる。
【０２０３】
負荷下の鼻インタフェースの挙動を、その安定性性能を向上させるように制御することができることが分かった。本開示において、顔の動きまたは外力の結果としてプロングが患者の鼻孔から出るように変位するかまたは患者の鼻孔を刺激する可能性を阻止するかまたは実質的に低減させる鼻インタフェースについて記載する。
【０２０４】
人間の顔の形状は、広範囲の要因によって大幅に変化する。これらの要因としては、限定されないが、性別、民族性、年齢および病状が挙げられる。鼻インタフェースの不適切なサイズおよび形状は、鼻インタフェースの安定性および有用性に悪影響を及ぼし得る。安定性に影響を与え得る他の原因としては、限定されないが、不適切な適用、患者の姿勢、患者が泣くことおよび異常な顔の形状が挙げられる。
【０２０５】
さらに、患者が、話し、食べ、泣くかまたは自身の顔のパーツを何らかの方法でゆがめるかまたは誇張する場合、それが、患者の顔の上のインタフェースの安定性に影響を与え得る。顔のパーツに対するより長い変化は、たとえば睡眠中の患者の姿勢等の態様から発生し得る。形状の長期の変化は、患者の成長および創傷回復から発生し得る。
【０２０６】
患者の顔の上に物品を支持するとき、何らかの外力が同様にデバイスの安定性に影響を与え得る。横向きの鼻インタフェースの場合、外力は、患者がインタフェースを引っ張る、呼吸回路の重量がインタフェースに伝達される、ヘッドストラップの保持力、またはいずれかの接続管が他の器具に引っ掛る等、広範囲の原因から発生し得る。
【０２０７】
鼻インタフェース１０は、従来、図１に示すように、マニホールド２０を有し、マニホールド１０からプロング３０が延在している。プロング３０の間にブリッジ４０が接続され、プロング３０の間の流体連通を可能にすることができる。この設計は、患者の顔の上で不安定であり得、それにより、患者の鼻孔から鼻プロングが外れ、患者の治療に悪影響をもたらし得る。多くの場合、鼻孔からプロングが外れることは、インタフェースに加えられる特定の力に対するインタフェースの機械的反応の結果である。
【０２０８】
患者が話すかまたはうつぶせに寝ることから等、負荷の下での鼻インタフェースの挙動は、インタフェースの形状および材料特性等、種々の異なるインタフェースの特徴またはそれらの組合せによって影響を受ける可能性がある。たとえば、図２は、従来の鼻インタフェース１０を示し、インタフェースの側部に力５０がかけられている。力５０は、たとえば、患者がうつぶせに寝ているとき、または患者の顔が押しつぶされているとき、インタフェースにかかる可能性がある。図２において点線により、弛緩状態にある従来の鼻インタフェース１０を示す。図２はまた、力５０がインタフェースにかけられているときの押しつぶし状態にある鼻インタフェースも示す。続けて図２を参照すると、力５０が鼻インタフェースの側部にかけられているとき、大部分の従来のインタフェースは、その幾何学的設計および材料特性のために、自然に、プロング３０の近くの中間において、図における上方にすなわち患者から離れる方向に曲がる傾向がある。インタフェースが曲がることにより、プロング３０の位置が変位し、それにより、プロング３０は、患者の鼻孔からはじけ出るか、または鼻孔の側部をこすり、鼻孔の傷つきやすい皮膚を刺激することになる。図２は、プロング３０が、それらの正常な弛緩位置からＹの距離だけ変位した状態を示す。
【０２０９】
本明細書において記載したように、鼻インタフェースの安定性は、インタフェース設計における解剖学的に形成された形状および幾何学的に動的な形態のうちの１つまたは複数を利用することによって向上させることができる。これらの設計は、鼻プロングの安定性を維持するのに役立つように、顔の動きまたは外力に対して機械的に反応することができる。
【０２１０】
従来のインタフェースの直線状の設計では、インタフェースを患者の顔の形状に固定するために、粘着テープ等の追加の保持具が必要であることが多い。図３Ａは、患者の顔６０の上の従来のインタフェース１０を示す底面図である。この図に示すように、インタフェース１０を患者の顔６０の上に固定するために、保持力Ｆが必要であり得る。しかしながら、保持力Ｆは、インタフェース１０の形状を変化させ得、鼻インタフェースの弾性特性により、保持力に対抗する回復力がもたらされ得る。これらの回復力により、保持方法が外れ、プロングが鼻孔の内側に応力を加え、傷がもたらされる可能性がある。鼻インタフェースの不自然な曲げ形状により、プロングが適切に適合せず、同様に傷がもたらされる可能性もある。
【０２１１】
以下、鼻インタフェース例の構成要素および特性についてより詳細に記載する。「解剖学的に形成されたインタフェース」および「動的インタフェース」等の副題を使用する。これらの副題は、限定するものではなく、かつ限定するものとして解釈されるべきではない。たとえば、解剖学的に形成されたインタフェースという副題の下で記載される１つまたは複数の実施形態の態様は、動的インタフェースという副題の下で記載される１つまたは複数の実施形態にも適用することができ、その逆も可能である。
【０２１２】
解剖学的に形成されたインタフェース
解剖学的に形成されたインタフェース１００は、図３Ｂに示すように、所与の母集団の顔の外形に適合するような形状である。これらのインタフェース１００は、特定の人口統計学、たとえば、未熟児、新生児、幼児、小児および成人の３次元顔の輪郭に適合するように解剖学的に湾曲している形状を組み込む。解剖学的に湾曲したインタフェース１００の形状により、患者の顔６０の上でのインタフェースの安定性を著しく向上させることができ、患者の鼻孔からのプロングの変位の発生率を低減させることができる。
【０２１３】
限定ではないが、図示する実施形態は、特に新生児に適用性があり得る。たとえば、新生児の頭部／顔のサイズが小さいため、新生児において顔の歪みの発生が増大することにより、こうしたインタフェースは新生児に使用することが特に好適であり得、いかなる動きも、新生児のサイズが比較的小さいことにより強調され得る。
【０２１４】
解剖学的に形成されたインタフェース１００は、本来の弛緩した形状にある間の患者の顔の外形に沿う。インタフェースは、患者の顔６０の上でインタフェースを安定化するために保持力によって曲げられる必要はなく、したがって、いかなる回復力も生成されない。解剖学的に形成されたインタフェースを患者の顔に固定するために粘着テープが使用される場合であっても、テープはインタフェースを曲げないため、いかなる回復力も存在しない。プロングは、自然な応力のない位置で患者の鼻の中にあり続け、従来のインタフェースと比較して、外れるかまたは患者の鼻孔に損傷を与える可能性が低下する。解剖学的に形成されたインタフェース１００の別の利点は、患者の顔６０の上でインタフェースを保持するための粘着テープの必要が低減し、皮膚への刺激または損傷の可能性が低下することである。解剖学的に形成されたインタフェース１００は、従来のインタフェースと比較して安定性が向上し、安定性を維持するために患者の顔にインタフェースをテープで留める必要性が低い。
【０２１５】
解剖学的に形成されたインタフェース１００は、患者の所与の人口統計学に適合するように特定された所定の湾曲形状を形成するプラスチック成形法を用いて製造することができる。たとえば、発育不全の未熟児は、顔の外形が、発育した満期出産児とは異なるため、これらの人口統計学の各々に対して、その母集団の高いパーセンタイルを賞賛する共通の顔の外形を特定することができる。多種多様の顔の外形に適合するように、複数の異なるサイズおよび形状のインタフェースを製造することができる。
【０２１６】
いくつかの実施形態では、解剖学的に形成されたインタフェースは、製造後に患者または介護者によって変更することができる。解剖学的に形成されたインタフェースは、可撓性があり、患者の顔に適合する特化形状に形成可能であり得る。たとえば、インタフェースは、医療用パテまたは可撓性プラスチック等、可鍛性材料から少なくとも部分的に作製することができる。患者または介護者は、患者の顔の輪郭に略対応し患者の顔との安定した適合を提供するように、可鍛性インタフェースを成形することができる。
【０２１７】
他の例では、解剖学的に形成されたインタフェースは、患者の顔の輪郭に略一致しかつインタフェースに構造的形状を提供するように曲げることができる、インタフェースを通して延在する可鍛性フレームを有することができる。インタフェースが、成形後にその形状を維持するために、いくつかの実施形態では、可鍛性フレームにポストアニールプロセスを適用することができる。
【０２１８】
他のタイプの形成可能なインタフェース材料としては、シリコーン、ゴム（合成または天然）、熱可塑性ポリマーおよび熱硬化性ポリマーのうちの１つまたは複数を挙げることができる。コモールドまたはオーバモールドによって、複合材料を製造することができる。これらの材料は最初に可鍛性であり得、それにより、患者の顔の形状に成形することができ、その後、そうした材料は、ある期間の後、またはＵＶ処理あるいは熱処理等の能動的硬化プロセスを通して剛性となることができる。
【０２１９】
動的インタフェース
動的インタフェースは、デバイスに沿って、本来のおよび強制された両方の顔の動き、ならびにインタフェースにかけられる外力に反応する１つまたは複数のヒンジを組み込んでいる。ヒンジは、患者の顔の上でのインタフェースの適合に対する、特に患者の鼻孔内のプロングの配置に対する、顔の動きおよび外力の影響を最小限にすることができる。本明細書で用いるヒンジとは、概して、１つまたは複数の方向に曲がるように構成される、インタフェース上の部分を指す。ヒンジは、予め定義された１つまたは複数の方向に曲がるように構成することができ、いくつかの実施形態では、ヒンジに対して、いくつかの方向に曲がるのを制限することができる。
【０２２０】
図４Ａおよび図４Ｂは、幼児の弛緩した顔の形状の一例を示し、図４Ｃは、弛緩した顔の上の動的インタフェース２００の幾何学的形状の概略図を示す。図４Ａは、幼児の顔の正面図であり、図４Ｂは、幼児の顔の底面図である。図４Ｃは、動的インタフェースの底面図である。動的インタフェース２００は、１つまたは複数のヒンジ２１０を有することができる。好ましくは、動的インタフェースは、プロング２３０の間に中心ヒンジ２１２が配置されている。図４Ｂおよび図４Ｃを比較することによって留意することができるように、インタフェース上の複数のヒンジ２１０により、インタフェース２００は、患者の顔の全体的な輪郭に沿うことができる。
【０２２１】
図５Ａおよび図５Ｂは、患者の応力が加えられたまたは押しつぶされた顔の形状の例のそれぞれ正面図および底面図である。図５Ｃは、押しつぶされた顔の上の動的インタフェースの幾何学形状の概略底面図を示す。押しつぶされた顔は、たとえば、患者がうつぶせに寝るときの顔のゆがみを近似する。図５Ｃに示すように、ヒンジ３１０は、インタフェース３００をゆがんだ顔の形状に沿わせ、患者の鼻孔内でプロング３３０の位置を維持するのに役立つ。動的インタフェース３００は、誇張した頬の動きを示す傾向がある幼児の場合に特に有用である。
【０２２２】
各ヒンジ３１０は、加えられた力に所定の方式で反応するように構成することができ、異なるヒンジは、インタフェース上のそれらの位置に応じて異なるように反応することができる。たとえば、プロング３３０の間の領域に位置するヒンジ３１２は、唇に向かって下方にかつ／または顔に向かって内向きに曲がって、正面から見て凹形状を形成することができ、患者の頬に隣接するヒンジ３１４は、外向きに曲がって頬の周囲に凸形状を形成することができる。ヒンジ３１２は、顔に対して垂直な外向きの移動に抵抗し、デバイスに横方向に力が加えられることによるプロング３３０の鼻孔から出る移動を最小限にすることができる。状況によっては、ヒンジ３１２の曲げは、患者の解剖学的構造によって制限することができる。たとえば、ヒンジ３１２の内向きの曲げは、患者の人中によって制限することができ、それは、プロング３３０の変位を有利に制限することができる。インタフェースに加えられる力は、ヒンジ３１２がその限界に達すると、他のヒンジ（たとえば、頬に隣接するヒンジ３１４）に作用することができる。ヒンジのタイプおよびヒンジの位置に組合せにより、設計者は、インタフェースが種々の状況でいかに反応するかを制御することができる。ヒンジは、その所望の機能に応じて、任意の予め定義された方向において１度、２度または３度の動きを可能にするように設計することができる。有利には、さまざまな負荷状態下で患者の鼻孔内でプロングを維持する固有に安定したインタフェースを開発することができる。
【０２２３】
図６Ａおよび図６Ｂは、動的インタフェース４００が外力４６０に対していかに反応することができるかの一例を示す。図６Ａに示すように、動的インタフェース４００に、ヒンジ４１６によって延長部４５０を結合することができる。延長部４５０は、外部デバイスに接続する動的インタフェース４００の一部品とすることができ、または、延長部４５０は、動的インタフェース４００に接続する外部デバイスの一部品とすることができる。たとえば、延長部４５０は、動的インタフェース４００の一部品であり、チューブに接続可能とすることができ、またはインタフェース４００に接続するチューブの一部品とすることができる。延長部４５０およびインタフェース４００の接続点に、ヒンジ４１６を配置することができる。図６Ｂを参照すると、チューブを押すかまたは引く等のあらゆる外力４６０が、ヒンジ４１６の反応によって抑制され、動的インタフェース４００に伝達されている力を低減させる。患者の鼻孔内のプロング４３０の位置決めに影響を与えないように、外力４６０を少なくとも部分的に隔離することができる。好ましくは、延長部４５０の抑制能力を向上させるために、延長部４５０に別のヒンジ４１８が配置される。いくつかの実施形態では、さらなる抑制能力のために、延長部４５０にさらなる追加のヒンジを配置することができる。
【０２２４】
ヒンジおよびインタフェース上のそれらの位置は、インタフェースの特定の保持方法によって有効に作用するようにカスタマイズすることができる。たとえば、図５Ａ〜図５Ｃを続けて参照すると、インタフェースが、テープまたは何らかの同様の保持方法で頬に固定されるように構成されている場合、顔の動きを考慮するように頬部分とプロングとの間に１つまたは複数のヒンジを配置することができる。同様に、図６Ａおよび図６Ｂを参照すると、延長部４５０にヘッドストラップが接続されている場合、外力を考慮してヘッドストラップとインタフェースとの間に少なくとも１つのヒンジを配置することができる。
【０２２５】
図７Ａおよび図７Ｂに、動的鼻インタフェース５００の例を示す。ガルウィング型形状の動的インタフェース５００は、患者の顔の外形に略対応する全体的な湾曲を有することができる。動的インタフェース５００は、１つまたは複数の鼻プロング５０２と、使用時に鼻の下の患者の上唇に沿うように構成されている、プロング５０２の間に延在するブリッジ５０４と、ウィングまたは顔パッド５０６の対と、一体型管５０８とを含むことができ、すべて、矢状面を中心に略対称的に間隔を空けて配置されている。動的インタフェース５００は、プロング５０２と流体連通する管５０８との一体型または単体構成要素として形成されている。各一体化された管５０８の開放端は、ガス供給源に接続される好適な呼吸チューブを受け入れるように構成されている。呼吸チューブは、インタフェース管５０８に付着させるかまたは他の方法で結合（あるいは接続）することができる。好ましくは、管５０８は、独立した流路を有する２つの別個の側部を含む。しかしながら、いくつかの実施形態では、２つの側部は、管の２つの側部を接続するようにブリッジを横切って延在するチューブ等を通して、流体連通することができる。
【０２２６】
顔パッド５０６は、意図された患者の顔の形状を反映するサイズ、形状および湾曲で解剖学的に成形される。顔パッド５０６の解剖学的形状により、インタフェースに対して、顔パッド５０６の輪郭が患者の顔の輪郭に一致する所定の位置で、患者の顔との確実な係合が与えられる。予め成形された顔パッド５０６は、患者の鼻孔内でプロング５０２を配置し保持することができる精度および速度を向上させることにより、鼻プロング５０２を賞賛する。
【０２２７】
顔パッド５０６を患者の顔のパーツに対して予め成形するかまたは沿わせることにより、何らかの保持機構（粘着テープ、ヘッドギアまたは他の手段）によって患者の顔に加えられる圧力が低下する。これにより、使用者の上の褥瘡の可能性が低下する。顔パッド５０６の解剖学的形状によって促進される確実な係合により、インタフェース５００およびプロング５０２の安定性が向上し、したがって、快適さおよび投与されている治療の効力が向上する。いくつかの実施形態では、顔パッド５０６は、外側部分の方が広く、中間に向かって狭くなるように先細りになることができる。鼻インタフェースのさらなる例は、全体として参照により本明細書に組み込まれる、国際公開第２０１２／０５３９１０号パンフレットに記載されているようなものであり得る。
【０２２８】
続けて図４Ａおよび図４Ｂを参照すると、鼻インタフェース５００のブリッジ５０４は、患者に向かって内向きに曲がるように構成されているブリッジヒンジ５１０を有することができる。図７Ｂに最もよく示すように、ブリッジ５０４は、インタフェースがガルウィング型のような形状を有するように、鼻インタフェースの残りの部分と比較して逆に湾曲している。ブリッジヒンジ５１０は、インタフェース５００の後方に向かって湾曲しており、それにより、ブリッジ５０４は、正面から見ると凸形状になっている。ブリッジ５０４の湾曲により、従来の鼻インタフェースの場合のような外向きとは対照的に、患者に向かって内向きに曲がるようにヒンジ５１０が前もって配置される。
【０２２９】
たとえば、図７Ｃは、たとえば略ガルウィング型形状を有する鼻インタフェース５００を示し、インタフェースの側部に力５５０がかけられている。力５５０は、たとえば、患者がうつぶせに寝ているとき、または患者の顔が押しつぶされているときに、インタフェースにかけられる可能性がある。図７Ｃにおいて、弛緩状態にある鼻インタフェース５００を点線によって示す。図７Ｃはまた、インタフェースに力５５０がかけられている応力状態にある鼻インタフェースも示す。鼻インタフェースの側部に力５５０がかけられると、図７Ｃにおいて中心矢印によって示すように、ブリッジ５０４はブリッジヒンジ５１０において内向きに曲がるように傾斜する。ブリッジ５０４が内向きに曲がることにより、従来の鼻インタフェースの場合のように、プロング５０２が鼻孔からはじけ出る可能性がある、患者から離れる外向きとは対照的に、患者に近づくように内向きにプロング５０２が変位する。上述したように、ブリッジヒンジ５１０の曲げは患者の解剖学的構造によって制限することができる。たとえば、ブリッジヒンジ５１０の内向きの曲げは、患者の人中によって制限することができ、それにより、プロング５０２の変位を有利に制限することができる。鼻インタフェース設計は、プロング５０２が患者の鼻孔からはじけ出るかまたは鼻孔の側部をこするリスクを低減させるのに役立つ。
【０２３０】
典型的には、従来の鼻インタフェースと比較して、プロング５０２の変位距離を小さくすることができる。図７Ｃは、反対方向であり、かつ従来の鼻インタフェースに対する図２に示すＹの変位と比較して小さい距離である、Ｚの変位だけ、プロング５０２が通常の弛緩位置から変位している状態を示す。鼻カニューレは、少なくとも３つの位置、すなわちブリッジヒンジ５１０、およびプロングの両側にある外側ヒンジ５１２、５１４において蝶番式に動き、一方で、従来の鼻インタフェースは、主にブリッジの単一位置で曲がる。鼻インタフェースの追加のヒンジが、カニューレが応力下にあるときにプロング５０２の位置を安定化し、変位距離を低減させるのに役立ち、プロングを患者の鼻孔内で維持し、プロングによる鼻の刺激を低減させるように役立つ。
【０２３１】
図８Ａ〜図８Ｃに、動的鼻インタフェース６００の別の例を示す。たとえば、略波型形状を有する動的インタフェース６００は、１つまたは複数の鼻プロング６０２と、プロング６０２の間に延在するブリッジ６０４と、ウィングまたは顔パッド６０６の対と、顔パッド６０６に結合された管６０８とを含み、それらはすべて、正中面を中心に略対称的に間隔を空けて配置されている。動的インタフェース６００は、プロング６０２と流体連通する管６０８との一体型または単体構成要素として形成することができる。各一体化された管６０８の開放端は、ガス供給源に接続される好適な呼吸チューブを受け入れるように構成されている。呼吸チューブは、インタフェース管６０８に付着させるかまたは他の方法で結合（あるいは接続）することができる。好ましくは、管６０８は、独立した流路を有する２つの別個の側部を含む。しかしながら、いくつかの実施形態では、２つの側部は、管の２つの側部を接続するようにブリッジを横切って延在するチューブ等を通して、流体連通することができる。
【０２３２】
顔パッド６０６は、意図された患者の顔の形状の幾何学的形状に略一致するように成形される。図８Ｂに示すように、顔パッド６０６は、たとえば図４Ｂに示すような患者の外形の形状に略一致する波型形状を有することができる。顔パッド６０６は、患者の突出する頬の上に位置するように構成された外側凹状部分６１２と、頬と上唇との間のしわの上に位置するように構成された内側凸状部分６１４とを有することができる。ブリッジ６０４は、上唇および人中の出っ張りを収容するような凹形状を有することができる。管６０８は、鼻インタフェース６００の輪郭をたどることができる。
【０２３３】
顔パッド６０６の解剖学的形状により、インタフェースに対して、顔パッド６０６の輪郭が患者の顔の輪郭に一致する所定の位置で、患者の顔との確実な係合が与えられる。予め成形された顔パッド６０６は、患者の鼻孔内でプロング６０２を配置し保持することができる精度および速度を向上させることにより、鼻プロング６０２を賞賛する。
【０２３４】
図８Ｃは、鼻インタフェース６００の正面図を示す。顔パッド６０６は、外側部分の方が広く、中間に向かって狭くなるように先細りになることができる。ブリッジ６０４は、顔パッド６０６と一体型とすることができ、いくつかの実施形態では、２つの顔パッド６０６を接続する。いくつかの実施形態では、ブリッジ６０４は、下方に湾曲し、ヒンジ６１０を有することができる。鼻インタフェース６００が顔の動きまたは外力からの力を受けるとき、ブリッジ６０４が下方に曲がることができるように、下方に曲がるようにヒンジ６１０を予め仕向けることができる。下方に曲がることが、プロング６０２を安定化し、矢状面（すなわち、前／後）および冠状面（すなわち、上／下）におけるプロング６０２の移動を最小限にするのに役立つことができる。ブリッジ６０４が下方に曲がることにより、プロング６０２が互いに近づくように変位するが、従来の鼻インタフェースの場合のように、プロング６０２が鼻孔から離れるように外向きに変位しない。鼻インタフェース設計は、プロング６０２が患者の鼻孔からはじけ出るかまたは鼻孔の側部をこするリスクを低減させるのに役立つ。
【０２３５】
図９Ａ〜図９Ｄは、動的鼻インタフェース７００の別の限定しない例を示す。動的インタフェース７００は、１つまたは複数の鼻プロング７０２と、ブリッジ７０４がプロング７０２の間に延在している湾曲したスペースフレーム支持構造７０３と、ウィングまたは顔パッド７０６の対と、顔パッド７０６に結合された管７０８とを含み、すべて、矢状面を中心に略対称的に間隔を空けて配置されている。動的インタフェース７００は、プロング７０２と流体連通する管７０８との一体型または単体構成要素として形成することができる。各一体化された管７０８の開放端は、ガス供給源に接続される好適な呼吸チューブを受け入れるように構成されている。呼吸チューブは、インタフェース管７０８に付着させるかまたは他の方法で結合することができる。好ましくは、管７０８は、独立した流路を有する２つの別個の側部を含む。しかしながら、いくつかの実施形態では、２つの側部は、管の２つの側部を接続するようにブリッジを横切って延在するチューブ等を通して、流体連通することができる。
【０２３６】
顔パッド７０６は、意図された患者の顔の形状の解剖学的形状に略一致するように成形される。図９Ｂに示すように、顔パッド７０６を、動的インタフェース７００の外側部分に向かって配置し、患者の頬の形状に一致するように湾曲させることができる。いくつかの実施形態では、顔パッドは、動的インタフェースの中間に向かってさらに延在することができ、かつ／または動的インタフェース全体を横切って延在する連続パッドとして接続することができる。顔パッド７０６は、患者の突出する頬の上に位置するように構成された凹状部分７１２を有することができる。
【０２３７】
顔パッド７０６の解剖学的形状により、インタフェースに対して、顔パッド７０６の輪郭が患者の顔の輪郭に一致する所定の位置で、患者の顔との確実な係合が与えられる。予め成形された顔パッド７０６は、患者の鼻孔内でプロング７０２を配置し保持することができる精度および速度を向上させることにより、鼻プロング７０２を賞賛する。
【０２３８】
続けて図９Ａおよび図９Ｂを参照すると、鼻プロング７０２および管７０８は、支持構造７０３によって少なくとも部分的に支持することができる。支持構造７０３は、顔パッド７０６に結合され、プロング７０２の間にブリッジ７０４を含むことができる。スペースフレーム状支持構造７０３を備えた動的インタフェース７００は、患者の顔の形状の３次元変化からインタフェースを安定化するのに役立ち、患者の鼻孔内でプロング７０２を維持するのに役立つ。いくつかの実施形態では、支持構造７０３は、中空でありかつプロング７０２と流体連通することができ、それにより、プロング７０２は互いに流体連通する。他の実施形態では、プロング７０２は、別個であり、かつ少なくとも支持構造７０３を介さず、互いに流体接続されていない場合もある。これらの実施形態では、支持構造７０３は、中実であり、中空であり、または、たとえば発泡体または可鍛性ワイヤフレーム等の材料で充填され得る。
【０２３９】
いくつかの実施形態では、ブリッジ７０４は、下方に湾曲しヒンジ７１０を有することができる。図９Ｃおよび図９Ｄに示すように、動的インタフェース７００が顔の動きまたは外力からの力を受けると、ブリッジ７０４が下方に曲がることができるように、下方に曲がるようにヒンジ７１０を予め仕向けることができる。図９Ｃおよび図９Ｄは、過度の顔の変形または外力をシミュレートするように患者の顔の上の動的インタフェース７００の押しつぶしを示す。下方に曲がることが、プロング７０２を安定化し、矢状面（すなわち、前／後）および冠状面（すなわち、上／下）におけるプロング７０２の移動を最小限にするのに役立つことができる。ブリッジ７０４が下方に曲がることにより、プロング７０２が互いに近づくように変位するが、従来の鼻インタフェースの場合のように、プロング７０２が鼻孔から離れるように外側に変位しない。動的インタフェース７００の設計は、プロング７０２が患者の鼻孔からはじけ出るかまたは鼻孔の側部をこするリスクを低減させるのに役立つことができる。
【０２４０】
続けて図９Ｃおよび図９Ｄを参照すると、支持構造７０３は、１つあるいは複数の内側ヒンジ７１６および／または１つあるいは複数の外側ヒンジ７１８をさらに含むことができ、それにより、支持構造７０３はジグザグ形状を有している。図９Ｃおよび図９Ｄに示すように、動的インタフェース７００が力を受けると、内側ヒンジ７１６が上方に曲がることができるように、下方に曲がるように内側ヒンジ７１６を予め仕向けることができる。図９Ｃおよび図９Ｄに示すように、動的インタフェース７００が力を受けると、外側ヒンジ７１８が下方に曲がることができるように、下方に曲がるように外側ヒンジ７１８を予め仕向けることができる。動的インタフェース７００が顔の動きまたは外力を受けると、鼻プロング７０２を安定化し、プロング７０２が患者の鼻孔からはじけ出るかまたは鼻孔の側部をこするのを防止するのに役立つために、ヒンジ７１０、７１６、７１８はともに作用して、変形し、かつ少なくとも部分的に力を吸収する。
【０２４１】
図１０Ａ〜図１０Ｆは、２つ以上の次元で曲がるヒンジを有する動的鼻インタフェース８００の別の限定しない例を示す。多次元動的インタフェース８００は、１つまたは複数の鼻プロング８０２と、ウィングまたは顔パッド８０６の対と、顔パッド８０６に結合された管８０８とを含むことができ、すべて、矢状面を中心に略対称的に間隔を空けて配置されている。管８０８は、ガス供給源に接続される好適な呼吸チューブを受け入れるように構成することができる。呼吸チューブは、インタフェース管８０８に付着させるかまたは他の方法で結合することができる。
【０２４２】
顔パッド８０６は、意図された患者の顔の形状の解剖学的形状に略一致するように成形することができる。図１０Ａに示すように、顔パッド８０６を、動的インタフェース８００の外側部分に向かって配置し、患者の頬の形状に一致するように湾曲させることができる。いくつかの実施形態では、顔パッドは、動的インタフェースの中間に向かってさらに延在することができ、かつ／または動的インタフェース全体を横切って延在する連続パッドとして接続することができる。顔パッド７０６は、患者の突出する頬の上に位置するように構成された凹状部分を有することができる。
【０２４３】
顔パッド８０６の解剖学的形状により、インタフェースに対して、顔パッド８０６の輪郭が患者の顔の輪郭に一致する所定の位置で、患者の顔との確実な係合が与えられる。予め成形された顔パッド８０６は、患者の鼻孔内でプロング８０２を配置し保持することができる精度および速度を向上させることにより、鼻プロング８０２を賞賛する。
【０２４４】
いくつかの実施形態では、動的鼻インタフェース８００は、たとえば図１０Ｂに示すように、動的鼻インタフェース８００の形状および曲げ特性を画定する構造部材８０３を含む。構造部材８０３は、動的鼻インタフェース８００にオーバモールドするか、または接着剤、超音波溶接、締付具等により、他の方法で取り付けることができる。図１０Ｂに示す構造部材８０３は、プロング８０２の間に配置されように構成されかつ下方に曲がるように予め仕向けられたブリッジヒンジ８１０を含む。図示する構造部材８０３はまた、上方に曲がるように予め仕向けられた内側ヒンジ８１２と、患者に向かって内向きに曲がるように予め仕向けられた外側ヒンジ８１４とを含む。曲げヒンジは、図１０Ｃに示すように、頬と鼻８２０の縁との間のしわ、および人中８２２内の空間等、大部分の患者の顔の解剖学的構造において自然に発生する溝または空洞を占有することができる。いくつかの実施形態では、後に説明するように、多方向動的インタフェース８００に対して、患者の顔に取り付ける前に予め応力を加えて、ヒンジが所定方向に曲がりかつ鼻プロングを安定化するのを促進することができる。
【０２４５】
図１０Ｄは、患者の顔の上の多方向動的インタフェース８００の正面図を示す。図１０Ｅは、患者の顔に応力が加えられている際の多方向動的インタフェース８００の正面図を示す。押しつぶし力等の応力が患者の顔にかけられると、多方向動的インタフェース８００は、予め定義されるように曲がる。図１０Ｅに示すように、ブリッジヒンジ８１０は、下方にかつ人中８２２の空間に向かって内向きに曲がることができる。内側ヒンジ８１２は上方に曲がることができる。図１０Ｆに示すように、外側ヒンジ８１４は、頬と鼻８２０との間のしわ内に患者に向かって内向きに曲がる。ヒンジのうちのいくつかの曲げは、患者の解剖学的構造によって制限することができる。たとえば、ブリッジヒンジ８１０の内向きの曲りは、患者の人中８２２によって制限することができ、それにより、プロング８０２の変位を有利に制限することができる。外側ヒンジ８１４の曲げは、しわ８２０によって制限することができ、それによってもまた、プロング８０２の変位を有利に制限することができる。多方向動的インタフェース８００が顔の動きまたは外力を受けると、鼻プロング８０２を安定化し、プロング８０２が患者の鼻孔からはじけ出るかまたは鼻孔の側部をこするのを防止するのに役立つために、ヒンジ８１０、８１２、８１４はともに作用して、複数の次元で変形し、かつ少なくとも部分的に力を吸収する。
【０２４６】
図１１Ａ〜図１１Ｃは、動的鼻インタフェース９００の別の限定しない例を示す。動的鼻インタフェース９００は、全体的な湾曲を有することができ、それは、患者の顔の外形に略対応し、２つの別個の側部を含むことができ、それらは各々、鼻プロング９０２、顔パッド９０６、および顔パッド９０６に結合された管９０８を備えている。管９０８は、プロング９０２と流体連通することができる。オーバストラップブリッジ９０４が、オーバストラップ動的インタフェース９００の２つの側部の間に延在しかつそれらを接続することができる。管９０８の開放端は、ガス供給源に接続される好適な呼吸チューブを受け入れるように構成されている。呼吸チューブは、インタフェース管９０８に付着させるかまたは他の方法で結合することができる。
【０２４７】
顔パッド９０６は、意図された患者の顔の形状の解剖学的形状に略一致するように成形することができる。図１１Ｂの上面図に示すように、顔パッド９０６を、動的インタフェース９０６の外側部分に向かって配置することができ、患者の頬の形状に一致するように湾曲させることができる。顔パッド９０６は、患者の突出する頬の上に位置するように構成された凹状部分を有することができる。
【０２４８】
顔パッド９０６の解剖学的形状により、インタフェースに対して、顔パッド９０６の輪郭が患者の顔の輪郭に一致する所定の位置で、患者の顔との確実な係合が与えられる。予め成形された顔パッド９０６は、患者の鼻孔内でプロング９０２を配置し保持することができる精度および速度を向上させることにより、鼻プロング９０２を賞賛する。
【０２４９】
続けて図１１Ａおよび図１１Ｂを参照すると、オーバストラップ動的インタフェース９００の２つの側部の間に、オーバストラップブリッジ９０４が延在することができる。オーバストラップブリッジ９０４は、図に示すようにインタフェース管９０８に、または顔パッド９０６に結合することができ、動的インタフェース９００の各側部に沿った任意の場所に取り付けることができる。図示する例では、オーバストラップブリッジ９０４は、概してインタフェース管９０８の中間に向かって接続されている。他の実施形態では、プロング９０２に向かって、または動的インタフェース９００の外縁に向かって、オーバストラップブリッジ９０４を接続することができる。オーバストラップブリッジ９０４と動的インタフェース９００の側部との間の接続部９１２は、剛性接続部であり得る。いくつかの実施形態では、接続部９１２は、ヒンジ等により調整可能であるかまたは可撓性であり得る。
【０２５０】
オーバストラップブリッジ９０４は、患者の顔の形状およびサイズに沿うように伸長させるかまたは調整することができる弾性材料から作製することができる。たとえば、プロング９０２を個々の患者の鼻の解剖学的構造に従って間隔を空けて配置することができるように、オーバストラップブリッジ９０４を調整することができ、特定のオーバストラップ動的インタフェース９００によって対応することができる広範囲の患者サイズを提供することができる。オーバストラップブリッジ９０４は、動的インタフェース９００が顔の動きまたは外力からの力を受けたときに、オーバストラップブリッジ９０４が内向きに曲がるように、患者に向かって内向きに曲がるように予め仕向けられたブリッジヒンジ９１０を有している。
【０２５１】
図１１Ｂに示すように、ブリッジヒンジ９１０は、鼻インタフェースの残りの部分と比較して反対に湾曲している。ブリッジヒンジ９１０は、動的インタフェース９００の後方に向かって湾曲しており、それにより、ブリッジヒンジ９１０は、正面から見て凸状になっている。内向きに曲がることが、プロング９０２を安定化し、矢状面（すなわち、前／後）および冠状面（すなわち、上／下）におけるプロング９０２の移動を最小限にするのに役立つことができる。ブリッジヒンジ９１０が内向きに曲がることにより、プロング９０２が互いに近づくように変位することができるが、従来の鼻インタフェースの場合のように、プロング９０２は鼻孔から離れるように外向きに変位しない。動的インタフェース９００の設計は、プロング９０２が患者の鼻孔からはじけ出るかまたは鼻孔の側部をこするリスクを低減させるのに役立つことができる。
【０２５２】
いくつかの実施形態では、患者の顔が動いたときまたは動的インタフェース９００に外力がかけられるときに、オーバストラップ動的インタフェース９００が力を吸収することができるように、取付中に予め負荷がかけられるように、ブリッジヒンジ９１０を備えたブリッジ９０４を構成することができる。
【０２５３】
上述した動的インタフェースは、患者の顔の動きまたは外力によって変形した後に元の形状に戻ることができる弾性材料から少なくとも部分的に作製することができる。これらの材料はまた、好ましくは、患者の顔の形状に沿うようにコンプライアンスが高い。動的インタフェース材料としては、シリコーン、ゴム（合成または天然）、熱可塑性ポリマーおよび熱硬化性ポリマーを挙げることができる。コモールドまたはオーバモールドによって、複合材料を製造することができる。
【０２５４】
ヒンジ
動的インタフェースにおいて種々のヒンジタイプを使用することができる。ヒンジは、動的インタフェースの機械的挙動を規定するように、予測可能な限られた数の方向に曲がることができる。以下の段落は、複数のヒンジタイプ、およびそれらをいかに実施することができるかを記載している。記載するヒンジは、使用することができるヒンジタイプの網羅的なリストではなく、本発明の範囲は、記載する特定の実施形態によって限定されるべきではない。ヒンジタイプとしては、限定されないが、切欠き、断面積、可変厚さ、複合、弾性ヒンジ、バレルおよびピン、ならびにボールおよびソケットが挙げられる。
【０２５５】
図１２Ａは、プロング１００２の間のブリッジ１００４にヒンジ１０１０が配置されている鼻インタフェース１０００を示す。ヒンジ１０１０は、中実とすることができ、１つまたは複数の切欠き１０１２を含むことができる。図１２Ｂに示す実施形態では、ヒンジ１０１０は、所望の曲げの方向から離れるように面しているヒンジ１０１０の側部１０１４に配置された３つの切欠き１０１２を含む。切欠き１０１２は、図示するモーメントの方向Ｍにおけるヒンジ１０１０の曲げを促進し、それは、切欠き１０１２が開放されると側部１０１４に対する引張応力を軽減するのに役立つためである。ヒンジ１０１０は、方向Ｍに曲がるように予め仕向けられる。
【０２５６】
図１３Ａは、プロング１１０２の間にブリッジ１１０４がある鼻インタフェース１１００の別の実施形態を示す。ブリッジ１１０４は、中空であり、かつガスが流れるのを可能にし、それにより、プロング１１０２がブリッジ１１０４を通して互いに流体連通する。ブリッジ１１０４が、切欠きを有し、ヒンジ１１１０として作用することができる。図１３Ｂ〜図１３Ｄに、複数の限定しない切欠きの例を示す。図１３Ｂは、三角形切欠き１１１６を示し、図１３Ｃはチャネル切欠き１１１８を示し、図１３Ｄは台形状切欠き１１２０を示す。切欠き設計は、ヒンジにおける異なる量の曲げを可能にするように変更することができ、設計者は、所望の量の曲げを達成するように適切なタイプの切欠き設計を選択することができる。
【０２５７】
ヒンジは、その断面外形の変動を通して構造に設計することができる。加えられる負荷の下で、構想の断面積により、構造をいくつかの方向に偏向するように予め仕向けることができる。たとえば、構造は、鼻インタフェースのプロングの間に位置するブリッジであり得る。図１４Ａにおけるヒンジ１２１０に対して示すように、負荷力Ｆは横方向であると想定し、上述した誇張した顔の動きまたは外力をシミュレートする。図示する三角形の断面外形により、ブリッジの例において口に向かって下方の曲げが促進される。下方の曲げにより、上述したように、鼻孔内のプロングの位置に対する負荷Ｆの影響が低減する。
【０２５８】
図１４Ｂは、曲げ状態にある間に構造の引張領域１２１４に近い方に位置する、曲げの中立軸１２１２を有するヒンジ１２１０の三角形の断面外形を示す。所望の方向に曲がるように構造を予め仕向けることは、引張領域１２１４（すなわち、引張状態になることが好ましい領域）を、圧縮領域１２１６（すなわち、圧縮を受けることが好ましい領域）における断面積より大きくすることによって、達成することができる。材料は、引張弾性係数より圧縮弾性係数の方が大きい傾向があるため、負荷力Ｆは、ヒンジ１２１０に加えられると、圧縮領域１２１６を伸長させ引張領域１２１４を圧縮するのとは対照的に、圧縮領域１２１６を圧縮し引張領域１２１４を伸長させるための力が小さくなる。したがって、ヒンジ１２１０は、予測可能な下方向に曲がることができる。
【０２５９】
図１５Ａおよび図１５Ｂは、圧縮応力を低減させることができる、切取部等の設計特徴の例を示す。図１５Ａは、鼻インタフェース１３００に対する横方向の負荷力Ｆを示す。鼻インタフェース１３００は、１つまたは複数のプロング１３０２と、プロング１３０２の間に配置されたヒンジ１３１０とを有している。図１５Ｂは、ヒンジ領域の拡大断面である。図に示すように、ヒンジ１３１０は、引張領域１３１４および圧縮領域１３１６を含む。上述したように、引張領域１３１４の断面積を圧縮領域１３１６の断面積より大きくすることにより、所望の方向に曲がるように構造を予め仕向けることができる。図１５Ｂに示す例では、圧縮領域１３１６は、フランジ１３１８間の中空チャネル１３２０とから構成されている。中空チャネル１３２０は、圧縮領域１３１６に、引張領域１３１４より小さい断面積を与え、ヒンジ１３１０は、予測可能な下方向に曲がることができる。
【０２６０】
図１６Ａおよび図１６Ｂは、厚さが可変のヒンジ１４１０の例を示す。図１５Ａに示すものと同様に、鼻インタフェース１４００に対して横方向に負荷力Ｆをかけることができる。図１６Ａを参照すると、鼻インタフェース１４００は、１つまたは複数のプロング１４０２と、プロング１４０２の間に配置されたヒンジ１４１０とを有している。ヒンジ１４１０が最も薄い材料の方向に曲がるように予め仕向けられるように、ヒンジ１４１０を他の方向に比較して特定の方向に薄くすることができる。たとえば、図示する実施形態では、ヒンジ１４１０は、プロングの延在方向、すなわち、図１６Ａの図における上下方向に薄くなっている。図１６Ｂは、楕円形断面を示すヒンジ領域の拡大断面である。ヒンジ１４１０は、上下方向に最も薄いため、予測可能な下方向に曲がる。
【０２６１】
図１７Ａおよび図１７Ｂは、所定方向に曲がるように機能する、互いに重なった剛性材料および可撓性材料等、異なる測定を備えた２つの材料を含むヒンジ１５１０を示す。図１７Ａは、非曲げ状態にある可撓性部分１５１４および剛性部分１５１６を有する実施形態を示す。図１７Ｂに示すように、可撓性部分１５１４に力がかけられる場合に、剛性部分１５１６とは反対の方向に、曲げが予め仕向けられる。剛性部分１５１６により、可撓性部分１５１４が剛性部分１５１６に向かって曲がることが防止され、可撓性部分１５１４は、１つまたは複数の予め仕向けられた方向にのみ曲がることができる。ヒンジ１５０の中心位置１５１８における材料を結合するようにオーバモールド技法等を用いて、２つの材料タイプを固定することができる。いくつかの実施形態では、ヒンジの１つまたは複数の位置において２つの材料タイプを取外し可能に固定することができる。可撓性材料１５１４の外側部分は、好ましくは、制約されない動きが可能である。
【０２６２】
弾性ヒンジを利用して、患者の顔の上にインタフェースの固定を促進することができる。弾性ヒンジは、患者に適用される前の鼻インタフェースに予め応力を加えることにより、弾性エネルギーを蓄積することができる。鼻インタフェースが患者の上に載ると、弾性ヒンジの蓄積された弾性エネルギーが、患者の顔の上に作用して固定を促進する。弾性ヒンジは、実質的に弾性エネルギーがヒンジに蓄積されていない弛緩状態と、幾分かの外力がヒンジを曲げて、ヒンジが幾分かの弾性エネルギーを蓄積することができる予応力状態とを有することができる。
【０２６３】
たとえば、患者の顔は、図４Ａに示すような弛緩状態、または図５Ａに示すような応力状態にあり得る。鼻インタフェースの弛緩状態が患者の顔の応力が加えられた外形に略対応するように、鼻インタフェースを形成することができる。図１８Ａは、弛緩状態にある弾性ヒンジ鼻インタフェース１６００の例を示す。図１８Ｂに示すように、弛緩状態にある鼻インタフェース１６００は、患者の顔の応力が加えられた外形に略対応することができ、この構成では、鼻インタフェース１６００は、患者の応力が加えられた顔の上に力をかけない可能性がある。
【０２６４】
患者の顔の上に弾性ヒンジ鼻インタフェース１６００を取り付けるとき、使用者は、たとえば図１８Ｃに示すように鼻インタフェースを伸長させることにより、鼻インタフェースに予め応力を加えることができる。図１８Ｄのクロスハッチングによって示すように、予め応力が加えられた鼻インタフェースが患者の弛緩状態の顔の上に配置されると、鼻インタフェースの湾曲部は、弾性ヒンジ１６１０としての役割を果たす。患者の顔に応力が加えられると、弾性ヒンジ鼻インタフェース１６００は、図１８Ｂに示すその弛緩状態に戻るように曲がるように予め仕向けられている。弾性ヒンジ鼻インタフェース１６００は、顔が弛緩した外形から応力が加えられた外形になる際に患者の顔の外形に従うことができ、それにより、鼻プロングを安定化し、プロングが患者の鼻孔からはじけ出るかまたは鼻孔の側部をこするのを防止するのに役立つことができる。
【０２６５】
たとえば接着剤およびストラップ等の複数の異なるタイプの保持方法を通して、患者の顔に鼻インタフェースを取り付けることができる。好ましくは、患者の顔の上への鼻インタフェースの保持方法は、少なくとも、弾性ヒンジに蓄積された予応力エネルギーに耐えることができる強度を有している。
【０２６６】
弾性ヒンジ鼻インタフェースは、その弛緩状態から伸長するときにエネルギーを蓄積することができる弾性（ｒｅｓｉｌｉｅｎｔ）材料から作製することができる。材料のいくつかの限定しない例としては、ゴム、プラスチック、複合材料および鋼が挙げられる。
【０２６７】
動的インタフェースで使用することができる別のヒンジ設計としては、ピンおよびバレル設計が挙げられる。図１９Ａは、ピンおよびバレルヒンジ設計が鼻プロング１７０２の間のブリッジ１７０４に配置されている動的インタフェース１７００を示す。患者の顔の外形が、たとえば外力または顔の動きのために変化するとき、ピンおよびバレルヒンジの角度が、顔の動きまたは外力に対応するように調整することができる。ピンおよびバレルヒンジによる調整は、患者の鼻孔内でプロングを安定化するのに役立つ。
【０２６８】
図１９Ｂは、ピンおよびバレルヒンジ１７１０の例を示す。ヒンジの第１側は、第１側に取り付けられるか又は一体的に形成されたピン１７１２を有することができる。第２側は、第２側に取り付けられるかまたは一体的に形成されたバレル１７１４（たとえば、貫通孔）を有することができる。ピン１７１２をバレル１７１４内に挿入し、機能的な連結によって保持することができる。ピン１７１２がバレル１７１４に対して回転して、ヒンジ１７１０を形成することができる。
【０２６９】
図１９Ｃおよび図１９Ｄは、指向性の動きがあるピンおよびバレルヒンジ１７１０を示す。ピンおよびバレルヒンジ１７１０は、ヒンジが所定方向に曲がるのを阻止する止め具１７１６を含み、それにより、ヒンジ１７１０は、所望の方向、たとえば患者の鼻孔から離れて下方に曲がるように予め仕向けられる。指向性ヒンジ設計は、インタフェースに力が加えられるときにインタフェースが曲がる方法を制御するように、鼻インタフェースの特定の部分に戦略的に配置することができる。本明細書では、指向性ヒンジ設計は、ピンおよびバレル設計と組み合わせて示されているが、指向性ヒンジ設計は、本明細書に記載するもの等、他のタイプのヒンジと使用することも可能である。
【０２７０】
図２０は、鼻プロング１８０２の間にボールおよびソケットヒンジ１８１０がある鼻インタフェース１８００の例を示す。ヒンジ１８１０の第１側は、第１側に取り付けられるかまたは一体的に形成されたボール１８１２を有することができる。第２側は、第２側に取り付けられるかまたは一体的に形成されたバレル１８１４（たとえば、空洞）を有することができる。ボール１８１２は、バレル１８１４の内側で移動しかつ回転して、ヒンジの中心を中心とする３移動度を提供することができる。患者の顔の外形が、たとえば外力または顔の動きのために変化すると、ボールおよびソケットヒンジ１８１０の３移動度は、顔の動きまたは外力に対応するように調整し、患者の鼻孔内でプロング１８０２を安定化するのに役立つことができる。
【０２７１】
図２１Ａ〜図２１Ｃに示す実施形態を参照すると、鼻カニューレ等の患者インタフェース２１００は、それぞれの左本体部分２１０１および右本体部分２１０３の対を有し、各本体部分は、使用時に使用者の顔の上に配置され、本体部分の各々は互いに分離している。本体部分の少なくとも一方、好ましくは両方は、使用者の鼻の一方または両方の鼻孔内に挿入されるかまたはガス流を向ける鼻プロング２１０５、２１０７を含む。バー２１０９が、左本体部分との接続点２１０９ａから右本体部分との接続点２１０９ｂまで延在している。バーは、実質的に弾性変形可能な領域２１１１を備えている。
【０２７２】
本来の位置にあるときの左本体部分２１０１および／または右本体部分２１０３の一方または両方の変位は、接続点を介してバー２１０９に伝達され、実質的に弾性変形可能な領域２１１１は、変位の反作用応答として変形可能である。
【０２７３】
バー２１０９の実質的に弾性変形可能な領域２１１１は、変位を実質的に吸収するように変形可能な実質的に可撓性の部分である。バーの実質的に弾性変形可能な領域２１１１は、本体部分の一方による本体部分の他方の部分への変位の伝達を低減させる。
【０２７４】
バー２１０９の本体部分への接続点２１０９ａ、２１０９ｂは、かかり付き突起２１２１の形態でのアンカーを介する。かかり付き突起２１２１は、それぞれのプロングに対して実質的に遠位側に位置する本体部分の領域２１２３によって受け入れられ、それにより、かかり付き突起およびプロングは流体連通する。
【０２７５】
弾性変形可能な領域２１１１は、少なくとも１つの平面においてそのまたは両方のプロング２１０５、２１０７に実質的に位置合せされる。バー２１０９の各接続点３２０９ａ、２１０９ｂは、それぞれの本体部分のプロングと流体連通しており、呼吸回路のガス流路を結合するように構成されている。インタフェースはまた、各本体部分に関連する顔パッド２１１５、２１１７を有している。各顔パッド２１１５、２１１７は、使用者の顔の領域と係合するように輪郭が付けられている。
【０２７６】
図２２〜図２３Ｃに示す実施形態を参照すると、鼻カニューレ等の患者インタフェース２４００／２５００は、使用時に使用者の顔の上に配置される、それぞれ左本体部分２４０１／２５０１および右本体部分２４０３／２５０３の対を有している。ブリッジ２５０９部分が、左本体部分および右本体部分の各々の間に延在している。鼻プロング２４０５／２５０５、２４０７／２５０７が、それぞれの左本体部分および／または右本体部分の内側端部のうちの１つまたは各々から延在し、または内側端部に実質的に隣接するそれぞれの本体部分のうちの一方または両方の領域から延在している。鼻プロング２４０５／２５０５、２４０７／２５０７は、使用者の鼻の一方または両方の鼻孔に挿入されるかまたはガス流を向ける。
【０２７７】
ブリッジ部分２４０９／２５０９は、本体部分の内側端部が互いに向けられる、それぞれの本体部分２４０１／２５０１、２４０３／２５０３の移動を可能にするが、内側端部が互いから離れる方向に移動するそれぞれの本体部分の移動には抵抗する。患者インタフェースが使用者の顔の上に本来のままにあるとき、使用者の鼻孔に対するそのプロングまたは複数のプロングの移動を最小限にするように、左本体部分および／または右本体部分の一方または両方の位置の変位が、ブリッジ部分２４０９／２５０９に伝達される。
【０２７８】
図２２に示す実施形態を参照すると、ブリッジ部分２４０９は、延在し、それぞれの本体部分２４０１、２４０３の内側端部を接続する。ブリッジ部分２４０９は本体部分のそれぞれの内側端部の間に延在する方向において、圧縮を受けることができ、加えられる張力には抵抗するかまたは耐える材料である。本体部分のそれぞれの内側端部の間に延在する方向は、それぞれの本体部分に沿って延在する長手方向である。ブリッジ部分は、好ましくは、織布材料、編布材料または不織布材料であり得る布材料を含む。
【０２７９】
図２３Ａ〜図２３Ｃに示す実施形態を参照すると、ブリッジ部分２５０９は、軸方向に拡張可能／伸長可能であるが、内側端部が互いから離れる方向に移動するそれぞれの本体部分の移動に対して抵抗するように弾性的である。左本体部分の接続点２５０９ａ、２５０９ｂと右本体部分の接続点との間のブリッジ部分の長さは、鼻プロング２５０５、２５０７の間の距離より大きい。ブリッジ部分２５０９は、好ましくは可撓性ポリマー材料を含む。
【０２８０】
図２４Ａ〜図２４Ｃに示す実施形態を参照すると、鼻カニューレ等の患者インタフェース２８００／２９００は、使用時に使用者の顔の上に配置される、それぞれの左本体部分２８０１／２９０１および右本体部分２８０３／２９０３の対を有している。ブリッジ部分２８０９、２９０９が、左本体部分および右本体部分の各々の間に延在している。鼻プロング２８０５／２９０５、２８０７／２９０７が、それぞれの左本体部分および／または右本体部分の内側端部のうちの１つまたは各々から延在し、または内側端部に実質的に隣接するそれぞれの本体部分のうちの一方または両方の領域から延在している。鼻プロング２８０５／２９０５、２８０７／２９０７は、使用者の鼻の一方または両方の鼻孔に挿入されるかまたはガス流を向ける。それぞれの本体部分の一方、好ましくは両方が、それぞれの鼻プロングに対して方向付けられた使用者顔接触面２８１５／２９１５、２８１７／２９１７を含に、それにより、本来の位置にあるとき、左本体部分および／または右本体部分に加えられるねじり力が、鼻プロングを使用者の鼻の鼻孔内に、またはその中にガス流を向ける位置に保持する。
【０２８１】
使用者の顔に向かう、その本体部分の回転、好ましくは両本体部分の回転により、顔接触面と使用者の顔との間の接触表面積が最大化し、使鼻プロングを用者の鼻の鼻孔に、またはその中にガス流を向ける位置に配置する。
【０２８２】
ブリッジ部分２８０９／２９０９は、左本体部分および右本体部分より直径が比較的小さい。各本体部分はチャネルを備え、チャネルは、一方の端部がそれぞれの鼻プロングに流体接続され、反対側の端部が呼吸回路のガス流路と流体結合するように開放している。
【０２８３】
図２４Ａ〜図２４Ｃに示す実施形態を参照すると、左本体部分および右本体部分のうちの少なくとも一方、好ましくは各々は、使用者の顔に隣接して位置する表面積が増大する、弛緩位置とねじれ位置との間で移動可能な、軸方向にねじれた顔接触面２９０９、２９１１を含む。
【０２８４】
顔接触面２９０９、２９１１は、本体部分の長さに沿って、本体部分の内端から本体部分の外端まで軸方向にねじれる。顔接触面２９０９、２９１１は、本体部分の長さに沿ってらせん状に延在している。顔接触面は、弛緩位置では、遠位端において鼻プロングの延在方向から離れるように面し、ねじれ位置では、鼻プロングの延在方向に面し、本体部分の実質的な長さに沿って実質的に平面である。
【０２８５】
図２５Ａ〜図２５Ｃに示す実施形態を参照すると、鼻プロング２９０５、２９０７は、鼻プロングが使用者の鼻の鼻孔に挿入されたときに本体部分にねじり力をかけるように、それぞれの左本体部分および右本体部分に対して角度が付けられている。それぞれの左本体部分および／または右本体部分の顔接触面は、使用者の顔の頬と係合するように輪郭が付けられている。
【０２８６】
図２６に示す実施形態を参照すると、鼻カニューレ等の患者インタフェースは、使用時に使用者の顔の上に配置される、それぞれの左本体部分および右本体部分の対を有している。ブリッジ部分が、左本体部分および右本体部分の各々の間に延在している。鼻プロングは、それぞれの左本体部分および／または右本体部分の内側端部のうちの１つまたは各々から延在し、または内側端部に実質的に隣接するそれぞれの本体部分のうちの一方または両方の領域から延在している。鼻プロングは、使用者の鼻の一方または両方の鼻孔に挿入され、またはその中にガス流を向ける。インタフェースは、顔接触面が受ける力または動きあるいは両方に応答し、こうした力および／または動きの鼻プロングへの伝達を少なくとも部分的に軽減するように、互いに対して移動可能な一連の不連続な別個の顔接触面を有している。
【０２８７】
図２７Ａ〜図２７Ｃに示す実施形態を参照すると、鼻カニューレ等の患者インタフェース３２００／３３００は、それぞれの左本体部分３２０１／３３０１および右本体部分３２０３／３３０３の対を有し、各本体部分は、使用時に使用者の顔の上に配置される。患者インタフェース３２００／３３００はまた、左本体部分と右本体部分との間に延在するブリッジ部分３２０９／３３０９も有している。鼻プロングが、それぞれの左本体部分および／または右本体部分の内側端部のうちの１つまたは各々から延在し、または内側端部に実質的に隣接するそれぞれの本体部分のうちの一方または両方の領域から延在している。鼻プロング３２０５／３３０５、３２０７／３３０７は、使用者の鼻の一方または両方の鼻孔内に挿入され、またはその中にガス流を向ける。カニューレは、詳細に後述する少なくとも１つの蝶番領域を含む。少なくとも１つの蝶番領域は、少なくとも対の実質的に直交する軸を中心に、または対の実質的に直交する平面に沿って、あるいは両方で、カニューレの別の領域に対して枢動可能であることにより、他の領域が受ける力または動きあるいは両方に応答し、こうした力および／または動きの鼻プロングへの伝達を少なくとも部分的に軽減する。少なくとも１つの蝶番領域は、３つの実質的に直交する軸を中心に、または３つの実質的に直交する平面に沿って、あるいは両方で枢動可能であり得る。
【０２８８】
ブリッジ３２０９／３３０９はまた、鼻プロングに隣接するかまたは鼻プロングの対の間のブリッジヒンジ３２１９も備えている。ブリッジヒンジ３２１９は、急な湾曲を有するように予め仕向けられている。ブリッジヒンジ３２１９は、使用者に向かって内向きに、かつ本来の位置で鼻孔から離れるように下方に曲がるように予め仕向けられている。
【０２８９】
ブリッジ３２０９／３３０９は、ブリッジヒンジの一方の側の第２ヒンジ、またはブリッジヒンジ３２１９のいずれかの側のかつ１つまたは複数の鼻プロングに隣接する対向する第２ヒンジ３２１６、３２２０の対をさらに備えている。第２ヒンジまたは第２ヒンジ３２１６、３２２０の対の各ヒンジは、急な湾曲を有するように予め仕向けられている。第２ヒンジ、または第２ヒンジ３２１６、３２２０の対の各ヒンジは、使用者の鼻孔に向かって上方にかつ本来の位置で使用者から離れて外向きに曲がるように予め仕向けられている。
【０２９０】
ブリッジは、左本体部分または右本体部分に隣接する第３ヒンジ、またはそれぞれの左本体部分および右本体部分に隣接して配置された第３ヒンジ３２１４、３２２１の対を備えている。第３ヒンジまたは第３ヒンジ３２１４、３２２１の対の各々は、急な湾曲を有するように予め仕向けられている。第３ヒンジ、または第３ヒンジ３２１４、３２２１の対の各々は、鼻孔から離れて下方にかつ本来の位置で使用者から離れて外向きに曲がるように予め仕向けられている。
【０２９１】
図２７Ａ〜図２７Ｃに示す実施形態を参照すると、ブリッジ部分の一端は、第３ヒンジから実質的に直交して延在し、またはブリッジ部分のいずれかの端部３２２２、３２２３は、第３ヒンジの対のうちのいずれか一方から実質的に直交して、かつ本来の位置で使用者の顔の頬に向かって内向きに延在している。各本体部分は、使用者の顔の領域に係合するように輪郭が付けられた顔パッド３２２４、３２２５を有している。ブリッジ部分のいずれかの端部が、顔パッドの少なくとも一部に沿って延在している。
【０２９２】
ブリッジ部分３２０９は、ブリッジ部分の少なくともいずれかの端部において実質的に中空であり、そこを通してガス流を移送する。ブリッジ部分のいずれかの端部は、呼吸回路のガス流路と結合するように構成されている。ブリッジ部分３２０９は、ブリッジ部分の長さの少なくとも実質的に一部に沿って環状断面を有している。
【０２９３】
鼻プロング３２０５、３２０７は、ブリッジ部分のそれぞれの端部から延在し、かつそれぞれの端部に流体結合されている。
【０２９４】
図２８に示す実施形態を参照すると、ブリッジは、第３ヒンジに隣接する第４ヒンジ、または第３ヒンジのそれぞれの対に隣接する第４ヒンジ３３２６、３３２７の対をさらに備えている。第４ヒンジ、または第４ヒンジの対の各ヒンジは、急な湾曲を有するように予め仕向けられている。第４ヒンジ、または第４ヒンジの対の各ヒンジは、使用者の鼻孔から離れて下方に、かつ本来の位置で使用者の顔の頬に向かって内向きに曲がるように予め仕向けられている。各本体部分は、使用者の顔の領域の上に係合するように輪郭が付けられた顔パッド３３２４、３３２５を備えている。
【０２９５】
本明細書では、いくつかの実施形態、特徴および例について記載したが、当業者には、本開示に例示し記載した方法および装置の多くの態様を異なるように結合しかつ／または変更してさらなる実施形態を形成することができることが理解されよう。たとえば、例示し上述した鼻インタフェースのいかなる１つの構成要素も、本発明の趣旨から逸脱することなく、単独で、または他の構成要素とともに使用することができる。さらに、本明細書に記載した方法は、異なる順序で、かつ／または要求通りに追加の装置を用いて実施することができることが理解されよう。上述した方法および装置のこうした代替実施形態および／使用ならびにそれらの明らかな変更形態および均等物は、本発明の範囲内に含まれるように意図されている。したがって、本発明の範囲は、上述した特定の実施形態によって限定されるべきではなく、以下の特許請求の範囲の公正な解釈によってのみ判断されるべきである。
【０２９６】
さらなる実施形態
項目１：鼻カニューレ等の患者インタフェースであって、
それぞれの左本体部分および右本体部分の対であって、各本体部分が、使用時に使用者の顔の上に配置され、本体部分の各々が互いに分離されており、
本体部分のうちの少なくとも一方、好ましくは両方が、使用者の鼻の一方または両方の鼻孔に挿入されるかまたはその中にガス流を向ける鼻プロングを含む、左本体部分および右本体部分の対と、
左本体部分との接続点から右本体部分との接続点まで延在するバーであって、実質的に弾性変形可能な領域を含むバーと
を備え、
使用時の左本体部分および／または右本体部分の一方または両方の変位が、接続点を介してバーに伝達可能であり、実質的に弾性変形可能な領域が、その変位に対する反作用応答として変形可能である、患者インタフェース。
【０２９７】
項目２．バーの実質的に弾性変形可能な領域が、実質的に可撓性の部分を含む、項目１に定義される患者インタフェース。
【０２９８】
項目３．バーの実質的に弾性変形可能な領域が、変位を実質的に吸収するように変形可能である、項目１または２に定義される患者インタフェース。
【０２９９】
項目４．バーの実質的に弾性変形可能な領域が、本体部分のうちの一方による本体部分のうちの他方への変位の伝達を低減させる、項目１〜３のいずれか１つに定義される患者インタフェース。
【０３００】
項目５．本体部分へのバーの接続点がアンカーを介する、項目１〜４のいずれか１つに定義される患者インタフェース。
【０３０１】
項目６．アンカーが、それぞれのプロングの実質的に遠位側に位置する本体部分の領域によって受け入れられるかかり付き突起である、項目５に定義される患者インタフェース。
【０３０２】
項目７．かかり付き突起およびプロングが流体連通している、項目６に定義される患者インタフェース。
【０３０３】
項目８．弾性変形可能な領域が、少なくとも１つの平面においてそのまたは両方のプロングと実質的に位置合せされている、項目１〜７のいずれか１つに定義される患者インタフェース。
【０３０４】
項目９．バーの各接続点が、それぞれの本体部分のプロングと流体連通しており、呼吸回路のガス流路と結合するように構成されている、項目１〜８のいずれか１つに定義される患者インタフェース。
【０３０５】
項目１０．各本体部分に関連付けられた顔パッドであって、使用者の顔の領域と係合するように輪郭が付けられている顔パッドをさらに備える、項目１〜９のいずれか１つに定義される患者インタフェース。
【０３０６】
項目１ａ．鼻カニューレ等の患者インタフェースであって、
使用時に使用者の顔の上に配置されるそれぞれの左本体部分および右本体部分の対と、  左本体部分と右本体部分の各々の間に延在するブリッジ部分と、
それぞれの左本体部分および／または右本体部分の内側端部のうちの１つまたは各々から延在し、または内側端部に実質的に隣接するそれぞれの本体部分のうちの一方または両方の領域から延在する鼻プロングであって、使用者の鼻の一方または両方の鼻孔内に挿入されるかまたはその中にガス流を向ける鼻プロングと
を備え、
ブリッジ部分が、本体部分の内側端部が互いの方に向かうそれぞれの本体部分の移動を可能にするが、内側端部が互いから離れるように移動するそれぞれの本体部分の動きに抵抗する、患者インタフェース。
【０３０７】
項目２ａ．患者インタフェースが使用者の顔の上で本来の位置にあるとき、使用者の鼻孔に対する１つまたは複数のプロングの移動を最小限にするように、左本体部分および／または右本体部分のうちの一方または両方の位置の変位がブリッジに伝達される、項目１ａに定義される患者インタフェース。
【０３０８】
項目３ａ．ブリッジ部分が、延在し、それぞれの本体部分の内側端部を接続している、項目１ａまたは２ａに定義される患者インタフェース。
【０３０９】
項目４ａ．ブリッジ部分が、本体部分のそれぞれの内側端部の間に延在する方向において、圧縮を受けることができ、かつ加えられる張力に抵抗するかまたは耐える材料である、項目１ａ〜３ａのいずれか１つに定義される患者インタフェース。
【０３１０】
項目５ａ．本体部分のそれぞれの内側端部の間に延在する方向が、それぞれの本体部分に沿って延在する長手方向である、項目４ａに定義される患者インタフェース。
【０３１１】
項目６ａ．ブリッジ部分が布材料を含む、項目１ａ〜５ａのいずれか１つに定義される患者インタフェース。
【０３１２】
項目７ａ．ブリッジ部分が、軸方向に拡張可能／伸長可能であるが、内側端部が互いから離れるように移動するそれぞれの本体部分の移動に耐えるように弾性的である、項目１ａまたは２ａに定義される患者インタフェース。
【０３１３】
項目８ａ．左本体部分の接続点と右本体部分の接続点との間のブリッジ部分の長さが、鼻プロングの間の距離より大きい、項目７ａに定義される患者インタフェース。
【０３１４】
項目９ａ．ブリッジ部分が可撓性ポリマー材料を含む、項目７ａまたは８ａに定義される患者インタフェース。
【０３１５】
項目１ｂ．鼻カニューレ等の患者インタフェースであって、
使用時に使用者の顔の上に配置されるそれぞれの左本体部分および右本体部分の対と、  左本体部分と右本体部分の各々の間に延在するブリッジ部分と、
それぞれの左本体部分および／または右本体部分の内側端部のうちの１つまたは各々から延在し、または内側端部に実質的に隣接するそれぞれの本体部分のうちの一方または両方の領域から延在する鼻プロングであって、使用者の鼻の鼻孔内に挿入されるかまたはその中にガス流を向ける鼻プロングと
を備え、
それぞれの本体部分のうちの一方、好ましくは両方が、それぞれの鼻プロングに対して方向付けられた使用者顔接触面を含み、それにより、本来の位置にあるとき、左本体部分および／または右本体部分に加えられるねじり力が、鼻プロングを、使用者の鼻の鼻孔の中で、またはその中にガス流を向ける位置で実質的に保持する、患者インタフェース。
【０３１６】
項目２ｂ．使用者の顔に向かう本体部分の回転、好ましくは両本体部分の回転により、顔接触面と使用者の顔との間の接触面積が最大化し、鼻プロングが、使用者の鼻の鼻孔内に、またはその中にガス流を向ける位置に配置される、項目１ｂに定義される患者インタフェース。
【０３１７】
項目３ｂ．ブリッジ部分が、直径が左本体部分および右本体部分より比較的小さい、項目１ｂまたは２ｂに定義される患者インタフェース。
【０３１８】
項目４ｂ．各本体部分が、一端がそれぞれの鼻プロングに流体接続され、反対側の端部が呼吸回路のガス流路を流体的に結合するように開放しているチャネルを備える、項目１ｂ〜３ｂのいずれか１つに定義される患者インタフェース。
【０３１９】
項目５ｂ．左本体部分および右本体部分のうちの少なくとも１つ、好ましくは各々が、使用者の顔に隣接して位置する表面積が増大する、弛緩位置とねじれ位置との間で移動可能な軸方向によじれた顔接触面を含む、項目１ｂ〜４ｂのいずれか１つに定義される患者インタフェース。
【０３２０】
項目６ｂ．顔接触面が、本体部分の長さに沿って本体部分の内端から本体部分の外端まで軸方向によじれている、項目５ｂに定義される患者インタフェース。
【０３２１】
項目７ｂ．顔接触面が、本体部分の長さに沿ってらせん状に延在している、項目５ｂに定義される患者インタフェース。
【０３２２】
項目８ｂ．顔接触面が、弛緩位置では、遠位端において鼻プロングの延在方向から離れるように面し、ねじれ位置では、鼻プロングの延在方向に面し、かつ本体部分の実質的な長さに沿って実質的に平面である、項目５ｂまたは６ｂに定義される患者インタフェース。
【０３２３】
項目９ｂ．１つまたは複数の鼻プロングが、使用者の鼻の鼻孔内に鼻プロングが挿入されると本体部分にねじり力をかけるように、それぞれの左本体部分および右本体部分に対して角度が付けられている、項目１ｂ〜４ｂのいずれか１つに定義される患者インタフェース。
【０３２４】
項目１０ｂ．それぞれの左本体部分および／または右本体部分の顔接触面が、使用者の顔の頬と係合するように輪郭が付けられている、項目９ｂに定義される患者インタフェース。
【０３２５】
項目１ｃ．鼻カニューレ等の患者インタフェースであって、
使用時に使用者の顔の上に配置されるそれぞれの左本体部分および右本体部分の対と、  左本体部分と右本体部分の各々の間に延在するブリッジ部分と、
それぞれの左本体部分および／または右本体部分の内側端部のうちの１つまたは各々から延在し、または内側端部に実質的に隣接するそれぞれの本体部分のうちの一方または両方の領域から延在する鼻プロングであって、使用者の鼻の鼻孔内に挿入されるかまたはその中にガス流を向ける鼻プロングと、
顔接触面が受ける力または動きあるいは両方に応答し、かつこうした力および／または動きの鼻プロングへの伝達を少なくとも部分的に軽減するように、互いに対して移動可能な一続きの不連続の別個の顔接触面と
を備える患者インタフェース。
【０３２６】
項目１ｄ．鼻カニューレ等の患者インタフェースであって、
使用時に使用者の顔の上に配置されるそれぞれの左本体部分および右本体部分の対と、  左本体部分と右本体部分の各々の間に延在するブリッジ部分と、
それぞれの左本体部分および／または右本体部分の内側端部のうちの１つまたは各々から延在し、または内側端部に実質的に隣接するそれぞれの本体部分のうちの一方または両方の領域から延在する鼻プロングであって、使用者の鼻の鼻孔内に挿入されるかまたはその中にガス流を向ける鼻プロングと
を備え、
カニューレが、少なくとも対の実質的に直交する軸を中心に、または対の実質的に直交する平面に沿って、あるいは両方で、カニューレの別の領域に対して枢動可能であり、それにより、他の領域が受ける力または動きあるいは両方に応答し、かつこうした力および／または動きの鼻プロングへの伝達を少なくとも部分的に軽減する、少なくとも１つの蝶番領域を含む、患者インタフェース。
【０３２７】
項目２ｄ．少なくとも１つの蝶番領域が、３つの実質的に直交する軸を中心に、または３つの実質的に直交する平面に沿って、あるいは両方で枢動可能である、項目１ｄに定義されるインタフェース。
【０３２８】
項目３ｄ．ブリッジが、鼻プロングに隣接するかまたは鼻プロングの対の間のブリッジヒンジを備える、項目１ｄまたは２に定義されるインタフェース。
【０３２９】
項目４ｄ．ブリッジヒンジが、急な湾曲を有するように予め仕向けられている、項目３ｄに定義されるインタフェース。
【０３３０】
項目５ｄ．ブリッジヒンジが、使用者に向かって内向きに、かつ本来の位置で鼻孔から離れるように下方に曲がるように予め仕向けられている、項目３ｄまたは４ｄに定義されるインタフェース。
【０３３１】
項目６ｄ．ブリッジが、ブリッジヒンジの一方の側の第２ヒンジ、またはブリッジヒンジのいずれかの側のかつその１つまたは複数の鼻プロングに隣接する対向する第２ヒンジの対をさらに備える、項目３ｄ〜５ｄのいずれか１つに定義されるインタフェース。
【０３３２】
項目７ｄ．第２ヒンジ、または第２ヒンジの対の各ヒンジが、急な湾曲を有するように予め仕向けられている、項目６ｄに定義されるインタフェース。
【０３３３】
項目８ｄ．第２ヒンジ、または第２ヒンジの対の各ヒンジが、本来の位置で、使用者の鼻孔に向かって上方に、かつ使用者から離れるように外向きに曲がるように予め仕向けられている、項目６ｄまたは７ｄに定義されるインタフェース。
【０３３４】
項目９ｄ．ブリッジが、左本体部分または右本体部分に隣接する第３ヒンジ、またはそれぞれの左本体部分および右本体部分に隣接して配置された第３ヒンジの対を備える、項目６ｄ〜８ｄのいずれか１つに定義されるインタフェース。
【０３３５】
項目１０ｄ．第３ヒンジ、または第３ヒンジの対の各々が、急な湾曲を有するように予め仕向けられている、項目９ｄに定義されるインタフェース。
【０３３６】
項目１１ｄ．第３ヒンジ、または第３ヒンジの対の各々が、本来の位置で、鼻孔から離れるように下向きに、かつ使用者から離れるように外向きに曲がるように予め仕向けられている、項目９ｄまたは１０ｄに定義されるインタフェース。
【０３３７】
項目１２ｄ．ブリッジ部分の一端が、第３ヒンジから実質的に直交して延在し、またはブリッジ部分のいずれかの端部が、第３ヒンジの対のうちのいずれか１つから実質的に直交して、かつ本来の位置で使用者の顔の頬に向かって内向きに延在する、項目９ｄ〜１１ｄのいずれか１つに定義されるインタフェース。
【０３３８】
項目１３ｄ．各本体部分が、使用者の顔の領域と係合するように輪郭が付けられた顔パッドを備える、項目１２ｄに定義されるインタフェース。
【０３３９】
項目１４ｄ．ブリッジ部分のいずれかの端部が、顔パッドの少なくとも一部に沿って延在している、項目１３ｄに定義されるインタフェース。
【０３４０】
項目１５ｄ．ブリッジ部分が、内部を通してガス流を移送するように、ブリッジ部分の少なくともいずれかの端部において実質的に中空である、項目１２ｄ〜１４ｄのいずれか１つに定義されるインタフェース。
【０３４１】
項目１６ｄ．ブリッジ部分のいずれかの端部が、呼吸回路のガス流路を結合するように構成されている、項目１５ｄに定義されるインタフェース。
【０３４２】
項目１７ｄ．その鼻プロングまたは各鼻プロングが、ブリッジ部分のそれぞれの端部から延在し、かつそこに流体結合されている、項目１５ｄまたは１６ｄに定義されるインタフェース。
【０３４３】
項目１８ｄ．ブリッジ部分が、ブリッジ部分の長さの少なくとも実質的に一部に沿って環状断面を有する、項目１ｄ〜１７ｄのいずれか１つに定義されるインタフェース。
【０３４４】
項目１９ｄ．ブリッジが、第３ヒンジに隣接する第４ヒンジ、または第３ヒンジのそれぞれの対に隣接する第４ヒンジの対をさらに備える、項目９ｄ〜１８ｄのいずれか１つに定義されるインタフェース。
【０３４５】
項目２０ｄ．第４ヒンジ、または第４ヒンジの対の各ヒンジが、急な湾曲を有するように予め仕向けられている、項目１９ｄに定義されるインタフェース。
【０３４６】
項目２１ｄ．第４ヒンジ、または第４ヒンジの対の各ヒンジが、本来の位置で、使用者の鼻孔から離れるように下方に、かつ使用者の顔の頬に向かって内向きに曲がるように予め仕向けられている、項目１９ｄまたは２０ｄに定義されるインタフェース。
【０３４７】
項目２２ｄ．各本体部分が、使用者の顔の領域の上で係合するように輪郭が付けられた顔パッドを備える、項目１９ｄ〜２１ｄのいずれか１つに定義されるインタフェース。
【０３４８】
項目１ｆ．鼻インタフェースであって、インタフェースに力が加えられるときに患者の顔の上でプロングを安定化するように構成された鼻インタフェースであって、
患者の顔の外形に略対応する全体的な湾曲を有する細長い本体であって、ガス流源に結合されるように構成され、少なくとも部分的に本体を通して延在する少なくとも１つの内腔を備える細長い本体と、
本体から延在しかつ少なくとも１つの内腔と流体連通しているプロングの対と、
１つまたは複数のヒンジであって、少なくとも１つのヒンジがプロングの対の間に配置され、予め定義された方向に曲がるように予め仕向けられている、１つまたは複数のヒンジと
を備える鼻インタフェース。
【０３４９】
項目２ｆ．患者の顔の上に載るように構成された１つまたは複数の顔パッドをさらに備える、項目１ｆに定義される鼻インタフェース。
【０３５０】
項目３ｆ．プロングの対の間に配置された少なくとも１つのヒンジが、細長い本体の全体的な湾曲から略反転した湾曲を有する、項目１ｆまたは２ｆに定義される鼻インタフェース。
【０３５１】
項目４ｆ．プロングの対の間に配置された少なくとも１つのヒンジが、患者の顔に向かって内向きに曲がるように構成されている、項目３ｆに定義される鼻インタフェース。
【０３５２】
項目５ｆ．略ガルウィング型形状を有する、項目１ｆ〜４ｆのいずれか１つに定義される鼻インタフェース。
【０３５３】
項目６ｆ．波型形状を有する、項目１ｆ〜４ｆのいずれか１つに定義される鼻インタフェース。
【０３５４】
項目７ｆ．湾曲したスペースフレーム状支持構造を有する、項目１ｆ〜４ｆのいずれか１つに定義される鼻インタフェース。
【０３５５】
項目８ｆ．２つ以上の次元において曲がる、項目１ｆ〜７ｆのいずれか１つに定義される鼻インタフェース。
【０３５６】
項目９ｆ．１つまたは複数のヒンジが切欠きを備える、項目１ｆ〜８ｆのいずれか１つに定義される鼻インタフェース。
【０３５７】
項目１０ｆ．１つまたは複数のヒンジが可変断面積を有する、項目１ｆ〜９ｆのいずれか１つに定義される鼻インタフェース。
【０３５８】
項目１１ｆ．１つまたは複数のヒンジが可変厚さを有する、項目１ｆ〜１０ｆのいずれか１つに定義される鼻インタフェース。
【０３５９】
項目１２ｆ．１つまたは複数のヒンジが可撓性が異なる２つ以上の材料を含む、項目１ｆ〜１１ｆのいずれか１つに定義される鼻インタフェース。
【０３６０】
項目１３ｆ．１つまたは複数のヒンジが、患者に適用する前に予め応力が加えられるように構成された弾性ヒンジを含む、項目１ｆ〜１２ｆのいずれか１つに定義される鼻インタフェース。
【０３６１】
項目１４ｆ．１つまたは複数のヒンジがバレルおよびピンを含む、項目１ｆ〜１３ｆのいずれか１つに定義される鼻インタフェース。
【０３６２】
項目１５ｆ．１つまたは複数のヒンジがボールおよびソケットを含む、項目１ｆ〜１３ｆのいずれか１つに定義される鼻インタフェース。
【０３６３】
項目１６ｆ．鼻インタフェースであって、
細長い本体であって、少なくとも部分的に本体を通して延在する少なくとも１つの内腔を備え、ガス流源に結合されるように構成された細長い本体と、
本体から延在しかつ少なくとも１つの内腔と流体連通している１つまたは複数のプロングと、
予め定義された方向に曲がるように予め仕向けられている１つまたは複数のヒンジと
を備え、
１つまたは複数のヒンジが、鼻インタフェースに力がかけられるときに患者の顔の上で１つまたは複数のプロングの位置を安定化するように構成されている、鼻インタフェース。
【０３６４】
項目１７ｆ．患者の顔の上に載るように構成された１つまたは複数の顔パッドをさらに備える、項目１６ｆに定義される鼻インタフェース。
【０３６５】
項目１８ｆ．１つまたは複数のヒンジのうちの少なくとも１つが、１つまたは複数のプロングに隣接してまたはその間に配置されている、項目１６ｆまたは１７ｆに定義される鼻インタフェース。
【０３６６】
項目１９ｆ．１つまたは複数のヒンジのうちの少なくとも１つが、患者の顔に向かって内向きに曲がるように構成されている、項目１６ｆ〜１８ｆのいずれか１つに定義される鼻インタフェース。
【０３６７】
項目２０ｆ．１つまたは複数のヒンジのうちの少なくとも１つが、下方に曲がるように構成されている、項目１６ｆ〜１８ｆのいずれか１つに定義される鼻インタフェース。
【０３６８】
項目２１ｆ．略ガルウィング型形状を有する、項目１６ｆ〜２０ｆのいずれか１つに定義される鼻インタフェース。
【０３６９】
項目２２ｆ．波型形状を有する、項目１６ｆ〜２０ｆのいずれか１つに定義される鼻インタフェース。
【０３７０】
項目２３ｆ．湾曲したスペースフレーム状支持構造を有する、項目１６ｆ〜２０ｆのいずれか１つに定義される鼻インタフェース。
【０３７１】
項目２４ｆ．２つ以上の次元において曲がる、項目１６ｆ〜２３ｆのいずれか１つに定義される鼻インタフェース。
【０３７２】
項目２５ｆ．オーバストラップブリッジによって結合される２つの別個の側部を備える、項目１６ｆ〜２４ｆのいずれか１つに定義される鼻インタフェース。
【０３７３】
項目２６ｆ．１つまたは複数のヒンジが切欠きを備える、項目１６ｆ〜２５ｆのいずれか１つに定義される鼻インタフェース。
【０３７４】
項目２７ｆ．１つまたは複数のヒンジが可変断面積を有する、項目１６ｆ〜２６ｆのいずれか１つに定義される鼻インタフェース。
【０３７５】
項目２８ｆ．１つまたは複数のヒンジが可変厚さを有する、項目１６ｆ〜２７ｆのいずれか１つに定義される鼻インタフェース。
【０３７６】
項目２９ｆ．１つまたは複数のヒンジが可撓性が異なる２つ以上の材料を含む、項目１６ｆ〜２８ｆのいずれか１つに定義される鼻インタフェース。
【０３７７】
項目３０ｆ．１つまたは複数のヒンジが、患者に適用する前に予め応力が加えられるように構成された弾性ヒンジを含む、項目１６ｆ〜２９ｆのいずれか１つに定義される鼻インタフェース。
【０３７８】
項目３１ｆ．１つまたは複数のヒンジがバレルおよびピンを含む、項目１６ｆ〜３０ｆのいずれか１つに定義される鼻インタフェース。
【０３７９】
項目３２ｆ．１つまたは複数のヒンジがボールおよびソケットを含む、項目１６ｆ〜３０ｆのいずれか１つに定義される鼻インタフェース。
【０３８０】
項目３３ｆ．鼻インタフェースであって、
細長い本体であって、少なくとも部分的に本体を通して延在する少なくとも１つの内腔を備え、ガス流源に結合されるように構成された細長い本体と、
本体に結合されかつ少なくとも１つの内腔と流体連通している１つまたは複数のプロングと
を備え、
細長い本体が、患者または患者群の顔の外形の解剖学的輪郭に略対応する形状を有する、鼻インタフェース。
【０３８１】
項目３４ｆ．患者群が、未熟児、新生児、幼児、小児または成人のうちの１つである、項目３３ｆに定義される鼻インタフェース。
【０３８２】
項目３５ｆ．管状本体が最初は可鍛性である、項目３３ｆまたは３４ｆに定義される鼻インタフェース。
【０３８３】
項目３６ｆ．管状本体の形状が、硬化プロセスを通して固定される、項目３３ｆ〜３５ｆのいずれか１つに定義される鼻インタフェース。
【０３８４】
項目３７ｆ．１つまたは複数のヒンジのうちの少なくとも１つが、予め定義された方向に曲がるように予め仕向けられている、項目１ｆ〜３６ｆのいずれか１つに定義される鼻インタフェース。
【図１】
2020114390.tif 000003
【図２】
2020114390.tif 000004
【図３Ａ】
2020114390.tif 000005
【図３Ｂ】
2020114390.tif 000006
【図４Ａ】
2020114390.tif 000007
【図４Ｂ】
2020114390.tif 000008
【図４Ｃ】
2020114390.tif 000009
【図５Ａ】
2020114390.tif 000010
【図５Ｂ】
2020114390.tif 000011
【図５Ｃ】
2020114390.tif 000012
【図６Ａ】
2020114390.tif 000013
【図６Ｂ】
2020114390.tif 000014
【図７Ａ】
2020114390.tif 000015
【図７Ｂ】
2020114390.tif 000016
【図７Ｃ】
2020114390.tif 000017
【図８Ａ】
2020114390.tif 000018
【図８Ｂ】
2020114390.tif 000019
【図８Ｃ】
2020114390.tif 000020
【図９Ａ】
2020114390.tif 000021
【図９Ｂ】
2020114390.tif 000022
【図９Ｃ】
2020114390.tif 000023
【図９Ｄ】
2020114390.tif 000024
【図１０Ａ】
2020114390.tif 000025
【図１０Ｂ】
2020114390.tif 000026
【図１０Ｃ】
2020114390.tif 000027
【図１０Ｄ】
2020114390.tif 000028
【図１０Ｅ】
2020114390.tif 000029
【図１０Ｆ】
2020114390.tif 000030
【図１１Ａ】
2020114390.tif 000031
【図１１Ｂ】
2020114390.tif 000032
【図１１Ｃ】
2020114390.tif 000033
【図１２Ａ】
2020114390.tif 000034
【図１２Ｂ】
2020114390.tif 000035
【図１３Ａ】
2020114390.tif 000036
【図１３Ｂ】
2020114390.tif 000037
【図１３Ｃ】
2020114390.tif 000038
【図１３Ｄ】
2020114390.tif 000039
【図１４Ａ】
2020114390.tif 000040
【図１４Ｂ】
2020114390.tif 000041
【図１５Ａ】
2020114390.tif 000042
【図１５Ｂ】
2020114390.tif 000043
【図１６Ａ】
2020114390.tif 000044
【図１６Ｂ】
2020114390.tif 000045
【図１７Ａ】
2020114390.tif 000046
【図１７Ｂ】
2020114390.tif 000047
【図１８Ａ】
2020114390.tif 000048
【図１８Ｂ】
2020114390.tif 000049
【図１８Ｃ】
2020114390.tif 000050
【図１８Ｄ】
2020114390.tif 000051
【図１９Ａ】
2020114390.tif 000052
【図１９Ｂ】
2020114390.tif 000053
【図１９Ｃ】
2020114390.tif 000054
【図１９Ｄ】
2020114390.tif 000055
【図２０】
2020114390.tif 000056
【図２１Ａ】
2020114390.tif 000057
【図２１Ｂ】
2020114390.tif 000058
【図２１Ｃ】
2020114390.tif 000059
【図２２】
2020114390.tif 000060
【図２３Ａ】
2020114390.tif 000061
【図２３Ｂ】
2020114390.tif 000062
【図２３Ｃ】
2020114390.tif 000063
【図２４Ａ】
2020114390.tif 000064
【図２４Ｂ】
2020114390.tif 000065
【図２４Ｃ】
2020114390.tif 000066
【図２５Ａ】
2020114390.tif 000067
【図２５Ｂ】
2020114390.tif 000068
【図２５Ｃ】
2020114390.tif 000069
【図２６】
2020114390.tif 000070
【図２７Ａ】
2020114390.tif 000071
【図２７Ｂ】
2020114390.tif 000072
【図２７Ｃ】
2020114390.tif 000073
【図２８】
2020114390.tif 000074
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
鼻カニューレ等の患者インタフェースであって、
使用者（好ましくは使用者の顔等）の上に配置される本体
を備え、
前記本体が、少なくとも１つの（および好ましくは対の）鼻プロングを含み、前記または各鼻プロングが、呼吸用ガスの供給源と流体連通するように前記鼻プロングまたは各鼻プロングに流体接続されることが可能な内腔を含み、前記または各鼻プロングが、前記使用者の鼻の一方または両方の鼻孔内に挿入される構成であるか、あるいは前記一方または両方の鼻孔にガス流を向けるかのいずれかであり、
前記本体が、前記患者インタフェースの少なくとも第１領域が受ける力または動きあるいは両方に応答する少なくとも１つの要素を含む、患者インタフェース。
【外国語明細書】
2020114390000001.pdf